(57)【要約】【課題】使用者に製品自体に関する情報、及びその他の実生活に必要な情報などを視覚的に提供し、使用者の情報へのアクセスを顕著に向上させることが要求されている。【解決手段】本発明は、ディスプレイ装置及びこれを備える冷蔵庫に係り、特に、冷蔵庫本体または他の通信機器と通信可能なディスプレイ装置を備える冷蔵庫に関する。この冷蔵庫は、複数の貯蔵空間を有する冷蔵庫内部形状を第１領域に表示するためのディスプレイ部と、複数の貯蔵空間のそれぞれに貯蔵された貯蔵物の保管情報を有しているメモリと、保管情報に基づいて、冷蔵庫内部形状の各貯蔵空間に貯蔵された貯蔵物の種類及び数量のうち少なくとも一つを表示するアイコンが表示されるように制御する制御部と、を含む。【選択図】図６
2012220186.tif 000002
【特許請求の範囲】
【請求項１】
複数の貯蔵空間を有する冷蔵庫内部形状を第１領域に表示するためのディスプレイ部と、
前記複数の貯蔵空間のそれぞれに貯蔵された貯蔵物の保管情報を有しているメモリと、
前記保管情報に基づいて、前記冷蔵庫内部形状の各貯蔵空間に貯蔵された貯蔵物の種類及び数量のうち少なくとも一つを表示するアイコンが表示されるように制御する制御部と、
を含むことを特徴とする冷蔵庫。
【請求項２】
前記制御部は、
前記複数の貯蔵空間のうち第１貯蔵空間がタッチスクリーンを介したタッチ入力で選択されると、前記第１貯蔵空間が残りの貯蔵空間と視覚的に区別されるように、前記第１貯蔵空間に所定の視覚効果を付与するように制御する、請求項１に記載の冷蔵庫。
【請求項３】
前記所定の視覚効果は、
前記第１貯蔵空間の色の変更、及び前記第１貯蔵空間の所定比率での拡大を含む、請求項２に記載の冷蔵庫。
【請求項４】
前記の各貯蔵空間に貯蔵された貯蔵物の種類及び数量のうち少なくとも一つを表示するアイコンは、第１アイコン及び第２アイコンを含み、
前記第１アイコンは、貯蔵物の種類のそれぞれに対応する形状を有し、前記第２アイコンは、貯蔵物の個数を数字で表す、請求項２に記載の冷蔵庫。
【請求項５】
前記制御部は、
前記複数の貯蔵空間のそれぞれに、あらかじめ設定された個数分の第１アイコンのみ表示されるように制御する、請求項４に記載の冷蔵庫。
【請求項６】
前記第１貯蔵空間に、あらかじめ設定された個数よりも多い種類の貯蔵物が貯蔵された場合に、前記制御部は、
前記第１貯蔵空間が選択されると、前記あらかじめ設定された個数分の第１アイコンの周辺に、表示されていない第１アイコンを少なくとも一つの方向に探索するための探索方向アイコンが少なくとも一つ表示されるように制御する、請求項５に記載の冷蔵庫。
【請求項７】
前記制御部は、
貯蔵期限が迫っている順に、前記あらかじめ設定された個数分の第１アイコンを選択する、請求項４に記載の冷蔵庫。
【請求項８】
前記制御部は、
最近に保管された貯蔵物の順に、前記あらかじめ設定された個数分の第１アイコンを選択する、請求項４に記載の冷蔵庫。
【請求項９】
前記制御部は、
前記複数の貯蔵空間に貯蔵されうる複数の貯蔵物のそれぞれに対応するアイコンを含む第２領域がタッチスクリーン上にさらに表示されるように制御する、請求項１に記載の冷蔵庫。
【請求項１０】
前記制御部は、
前記第２領域に含まれるアイコンをカテゴリー別にまたは貯蔵頻度順に整列して表示されるように制御する、請求項９に記載の冷蔵庫。
【請求項１１】
前記制御部は、
前記第２領域に含まれるアイコンのうち第３アイコンが前記複数の貯蔵空間のうち第２貯蔵空間にドラッグされる場合に、前記第３アイコンに対応する貯蔵物の貯蔵情報を設定するためのポップアップウィンドウが前記タッチスクリーン上に表示されるように制御する、請求項９に記載の冷蔵庫。
【請求項１２】
前記保管情報は、各貯蔵物の種類、保管開始日、保管期限及び保管数量のうち少なくとも一つを含む、請求項１に記載の冷蔵庫。
【請求項１３】
貯蔵物が保管される貯蔵室を有する本体と、
前記本体を開閉するドアと、
前記ドアに装着され、その一方の側に所定の記憶装置が挿入される挿入スロット、及び所定の情報を視覚化して表示するディスプレイ部を備えるディスプレイ装置と、
前記ドアに着脱自在に取り付けられ、前記挿入スロットが設けられるディスプレイ装置の一方の側を選択的にカバーするカバー部材と、
を備えることを特徴とする冷蔵庫。
【請求項１４】
前記ディスプレイ装置は、前記ディスプレイ部を取り囲むハウジングを備え、前記挿入スロットは、前記ハウジングの一方の側に設けられる、請求項１３に記載の冷蔵庫。
【請求項１５】
前記ドアは、
前方を構成する前方ドアと、
該前方ドアの後方に設けられる後方ドアと、を含み、
前記前方ドアと前記後方ドアとの間に設けられて、前記ディスプレイ装置が収容されるフレーム部をさらに含み、
前記フレーム部の一方の側と前記前方ドアの一方の側には、前記挿入スロットを有する前記ディスプレイ部の一方の側が露出されるように側面開放部が設けられている、請求項１４に記載の冷蔵庫。
【請求項１６】
前記カバー部材は、前記前方ドアの開放部に着脱自在に設けられ、前記挿入スロットを選択的に露出させ、またはカバー可能に設けられる、請求項１５に記載の冷蔵庫。
【請求項１７】
前記貯蔵室は、相互に並列的に設けられる冷凍室及び冷蔵室を含み、
前記ドアは、相互に並列的に設けられる冷凍室ドア及び冷蔵室ドアを含み、
前記ディスプレイ装置は、前記冷凍室ドアに設けられ、
前記挿入スロットは前記冷凍室ドアの側面に設けられ、該挿入スロットが設けられる冷凍室ドアの側面は、前記冷蔵室ドアの側面に対向するように構成される、請求項１３に記載の冷蔵庫。
【発明の詳細な説明】
【技術分野】
【０００１】
本発明は、ディスプレイ装置及びこれを備える冷蔵庫に関し、特に、冷蔵庫本体または他の通信機器と通信可能なディスプレイ装置を備える冷蔵庫に関する。
【背景技術】
【０００２】
冷蔵庫は、冷媒サイクルを用いて食品やその他の貯蔵物を冷蔵保管または冷凍保管できる家電装置であって、貯蔵室を備える本体と、本体に設けられて貯蔵室を開閉するドアとで構成され、本体内部には、圧縮器、凝縮器、膨脹装置、蒸発器などが設けられている。
【０００３】
通常の冷蔵庫は、貯蔵物の保管期間が顕著に長期化しても、その保管状態が毀損しないようにすることに主な目的がある。
【０００４】
ところが、最近では、家電製品本来の目的以外にも、使用者に様々な情報を提供できるスマート家電製品の必要性が台頭してきている。
【０００５】
このような家電製品のスマート化の傾向に伴い、冷蔵庫においても、使用者に製品自体に関する情報、及びその他の実生活に必要な情報などを視覚的に提供し、使用者の情報へのアクセスを顕著に向上させることが要求されている。
【０００６】
なお、情報の流れが一方向ではなく、使用者が特定の情報を加工して冷蔵庫に入力し、入力された情報が冷蔵庫の動作や他の実生活に反映されるようにする双方向情報交換システムが冷蔵庫にも要求されている。
【発明の概要】
【発明が解決しようとする課題】
【０００７】
本発明は、上記の点に鑑みてなされたもので、その目的は、使用者に様々な情報を提供し、または使用者に有用な情報を処理できる冷蔵庫を提供することにある。
【０００８】
また、本発明の目的は、使用者に便利なユーザーインターフェースを提供できる冷蔵庫を提供することにある。
【０００９】
本発明で達成しようとする技術的課題は、以上に言及した技術的課題に制限されず、言及していない他の技術的課題は、以下の記載から、本発明の属する技術の分野における通常の知識を有する者には明らかになるであろう。
【課題を解決するための手段】
【００１０】
上記目的を達成するために、本発明は、複数の貯蔵空間を有する冷蔵庫内部形状を第１領域に表示するためのディスプレイ部と、複数の貯蔵空間のそれぞれに貯蔵された貯蔵物の保管情報を有しているメモリと、保管情報に基づいて、冷蔵庫内部形状の各貯蔵空間に貯蔵された貯蔵物の種類及び数量のうち少なくとも一つを表示するアイコンが表示されるように制御する制御部と、を含むことを特徴とする冷蔵庫を提供する。
【００１１】
また、本発明は、貯蔵物が保管される貯蔵室を有する本体と、本体を開閉するドアと、ドアに装着され、その一方の側に所定の記憶装置が挿入される挿入スロット、及び所定の情報を視覚化して表示するディスプレイ部を備えるディスプレイ装置と、ドアに着脱自在に取り付けられ、挿入スロットが設けられるディスプレイ装置の一方の側を選択的にカバーするカバー部材と、を備えることを特徴とする冷蔵庫を提供する。
【発明の効果】
【００１２】
上記のように構成される本発明の少なくとも一つの実施例に係るディスプレイ部を備えた冷蔵庫は、より便利にタッチ操作を用いて冷蔵庫の機能を制御し、または様々な情報を表示できるユーザーインターフェースを提供する。
【００１３】
また、本発明は、冷蔵庫に備えられたタッチスクリーン上で具現化されるユーザーインターフェースを介して貯蔵物の貯蔵位置、貯蔵期限、貯蔵物を材料とするレシピー、ショッピングリストなどの情報を効率的に管理することができる。
【００１４】
本発明のディスプレイ部を介して冷凍室または冷蔵室の温度を容易に調節することができる。また、冷凍室を特別に急速冷凍運転する特急冷凍運転と、特冷室運転設定も容易に行うことができる。
【００１５】
また、上記ディスプレイ部を介してフィルター装置の運転の実行を設定することによって、貯蔵室内部の悪臭及び細菌除去を容易に行うことができる。そして、フィルター装置のフィルターユニットの交換が必要な場合に、ディスプレイ部にフィルターユニット交換信号が視覚的に表示されるので、フィルターユニットの交換を迅速に行うことができる。
【００１６】
また、節電運転モードが深夜節電、使用者設定節電、自動節電に区別されるため、使用者の選択によって様々な節電運転を設定することができる。
【００１７】
一方、使用者のスケジュール管理及びメモ管理が容易となり、特に、その管理を視覚的に判別し易くしたため、使用者の利便性を顕著に高めることができる。
【００１８】
そして、無線ネットワークの設定や冷蔵庫の遠隔診断なども、ディスプレイ部を介して容易に行うことができる。
【００１９】
また、周期的にアップデートしなければならないレシピーやファームウェアについては、無線ネットワークを介してアップデートを行うことができ、必要に応じてＳＤメモリのような記憶装置を介して行うことができるため、情報のアップデートが容易になる。
【００２０】
本発明から得られる効果は、以上に言及した効果に限定されず、言及していない他の効果は、以下の記載から、本発明の属する技術の分野における通常の知識を有する者には明確になるだろう。
【図面の簡単な説明】
【００２１】
【図１】本発明に係る冷蔵庫の斜視図である。
【図２】本発明に係るドアの斜視図である。
【図３】本発明に係るドア及びディスプレイ装置の分解斜視図である。
【図４】本発明に係るディスプレイ装置の挿入スロットに記憶装置が挿入される様子を示す斜視図である。
【図５】本発明に係る制御ブロック図である。
【図６】本発明の一実施例に係る冷蔵庫のディスプレイ部に表示される初期画面配置形態の一例を示す図である。
【図７】本発明の一実施例に係る冷蔵庫のディスプレイ部に表示される食品管理メニュー初期画面の一例を示す図である。
【図８】本発明の一実施例に係る冷蔵庫のディスプレイ部を介して貯蔵物情報を入力する形態の一例を示す図である。
【図９】本発明の一実施例に係る冷蔵庫のディスプレイ部を介して貯蔵物情報のうち保管期限を設定する形態の一例を示す図である。
【図１０】本発明の一実施例に係る冷蔵庫のディスプレイ部を介して別途の貯蔵室が選択される形態の一例を示す図である。
【図１１】本発明の一実施例に係る冷蔵庫のディスプレイ部を介してカテゴリー別に貯蔵物情報を入力する形態の一例を示す図である。
【図１２】本発明の一実施例に係る冷蔵庫のディスプレイ部を介して貯蔵室の貯蔵物情報を確認する形態の一例を示す図である。
【図１３】本発明の一実施例に係る冷蔵庫のディスプレイ部を介して貯蔵室に貯蔵された貯蔵物の詳細情報を確認する形態の一例を示す図である。
【図１４】本発明の一実施例に係る冷蔵庫において音声命令によって貯蔵物が選択される形態の一例を示す図である。
【図１５】本発明の一実施例に係る冷蔵庫において仮想キーボードを介して貯蔵物が選択される形態の一例を示す図である。
【図１６】本発明の一実施例に係る冷蔵庫において仮想キーボードを介して新しい貯蔵物を登録して保存する形態の一例を示す図である。
【図１７】本発明の一実施例に係る冷蔵庫のディスプレイ部で外部装置との通信のための命令入力が行われる形態の一例を示す図である。
【図１８】本発明の一実施例に係る冷蔵庫のディスプレイ部に表示される貯蔵物が他のメニューに追加される形態の一例を示す図である。
【図１９】本発明の一実施例に係る冷蔵庫のディスプレイ部に表示される貯蔵物が削除される形態の一例を示す図である。
【図２０】本発明の一実施例に係る冷蔵庫のディスプレイ部に表示されるレシピーメニュー初期画面の一例を示す図である。
【図２１】本発明の一実施例に係る冷蔵庫のディスプレイ部に表示されるレシピーメニューにおいて、貯蔵物アイコンをレシピー材料に追加する方法について説明するための図である。
【図２２】本発明の一実施例に係る冷蔵庫のディスプレイ部に表示されるレシピーの詳細情報が表示される形態について説明するための図である。
【図２３】本発明の一実施例に係る冷蔵庫のディスプレイ部に表示される貯蔵物アイコンを移動させ、または削除する方法の一例について説明するための図である。
【図２４】本発明の一実施例に係る冷蔵庫のディスプレイ部でレシピーを検索する方法の一例について説明するための図である。
【図２５】本発明の一実施例に係る冷蔵庫のディスプレイ部で検索されたレシピーの詳細情報を確認する方法の一例について説明するための図である。
【図２６】本発明の一実施例に係る冷蔵庫のディスプレイ部でレシピーメニューが表示される時に食品管理メニューを開く方法の一例について説明するための図である。
【図２７】本発明の一実施例に係る冷蔵庫のディスプレイ部に表示されるショッピングリストメニュー初期画面の一例を示す図である。
【図２８】本発明の一実施例に係る冷蔵庫のディスプレイ部に表示されるウィジェット構成の一例を示す図である。
【図２９】本発明の一実施例に係る冷蔵庫のディスプレイ部に表示される天気ウィジェットの地域を設定する方法の一例を示す図である。
【図３０】本発明の一実施例に係る冷蔵庫のディスプレイ部に表示される保管期限お知らせウィジェットが用いられる形態の一例を示す図である。
【図３１】本発明のディスプレイ部に表示された冷蔵庫管理初期画面を示す図である。
【図３２】本発明のディスプレイ部で冷凍室または冷蔵室の温度調節がなされる様子を示す図である。
【図３３】本発明のディスプレイ部で特急冷凍動作設定がなされる様子を示す図である。
【図３４】本発明のディスプレイ部で特冷室動作設定がなされる様子を示す図である。
【図３５Ａ】本発明のディスプレイ部でフィルター装置の動作設定がなされる様子を示す図である。
【図３５Ｂ】本発明のディスプレイ部でフィルター装置の動作設定がなされる様子を示す図である。
【図３５Ｃ】本発明のディスプレイ部でフィルター装置の動作設定がなされる様子を示す図である。
【図３６】本発明のディスプレイ部でフィルター交換お知らせを知らせる様子を示す図である。
【図３７】本発明のディスプレイ部で節電運転モード設定がなされる様子を示す図である。
【図３８】本発明のディスプレイ部で節電運転モード設定がなされる様子を示す図である。
【図３９Ａ】本発明のディスプレイ部で節電運転モード設定がなされる様子を示す図である。
【図３９Ｂ】本発明のディスプレイ部で節電運転モード設定がなされる様子を示す図である。
【図４０】本発明のディスプレイ部で節電運転モード設定がなされる様子を示す図である。
【図４１】本発明のディスプレイ部でスケジュール管理がなされる様子を示す図である。
【図４２】本発明のディスプレイ部でスケジュール管理がなされる様子を示す図である。
【図４３】本発明のディスプレイ部でスケジュール管理がなされる様子を示す図である。
【図４４Ａ】本発明のディスプレイ部でスケジュール管理がなされる様子を示す図である。
【図４４Ｂ】本発明のディスプレイ部でスケジュール管理がなされる様子を示す図である。
【図４５】本発明のディスプレイ部でスケジュール管理がなされる様子を示す図である。
【図４６Ａ】本発明のディスプレイ部でスケジュール管理がなされる様子を示す図である。
【図４６Ｂ】本発明のディスプレイ部でスケジュール管理がなされる様子を示す図である。
【図４６Ｃ】本発明のディスプレイ部でスケジュール管理がなされる様子を示す図である。
【図４７】本発明のディスプレイ部でメモ管理がなされる様子を示す図である。
【図４８Ａ】本発明のディスプレイ部でメモ管理がなされる様子を示す図である。
【図４８Ｂ】本発明のディスプレイ部でメモ管理がなされる様子を示す図である。
【図４９Ａ】本発明のディスプレイ部でメモ管理がなされる様子を示す図である。
【図４９Ｂ】本発明のディスプレイ部でメモ管理がなされる様子を示す図である。
【図５０】本発明のディスプレイ部でメモ管理がなされる様子を示す図である。
【図５１Ａ】本発明のディスプレイ部でメモ管理がなされる様子を示す図である。
【図５１Ｂ】本発明のディスプレイ部でメモ管理がなされる様子を示す図である。
【図５２Ａ】本発明のディスプレイ部でメモ管理がなされる様子を示す図である。
【図５２Ｂ】本発明のディスプレイ部でメモ管理がなされる様子を示す図である。
【図５３Ａ】本発明のディスプレイ部に表示される環境設定初期画面を示す図である。
【図５３Ｂ】本発明のディスプレイ部で画面明るさ設定がなされる様子を示す図である。
【図５４】本発明のディスプレイ部でボリューム設定がなされる様子を示す図である。
【図５５Ａ】本発明のディスプレイで無線ネットワーク設定がなされる様子を示す図である。
【図５５Ｂ】本発明のディスプレイで無線ネットワーク設定がなされる様子を示す図である。
【図５５Ｃ】本発明のディスプレイで無線ネットワーク設定がなされる様子を示す図である。
【図５６】本発明のディスプレイで無線ネットワーク設定がなされる様子を示す図である。
【図５７】本発明のディスプレイで無線ネットワーク設定がなされる様子を示す図である。
【図５８Ａ】本発明のディスプレイ部で情報アップデートがなされる様子を示す図である。
【図５８Ｂ】本発明のディスプレイ部で情報アップデートがなされる様子を示す図である。
【図５９Ａ】本発明のディスプレイ部で情報アップデートがなされる様子を示す図である。
【図５９Ｂ】本発明のディスプレイ部で情報アップデートがなされる様子を示す図である。
【図６０】本発明のディスプレイ部で情報アップデートがなされる様子を示す図である。
【図６１】本発明のディスプレイ部で情報アップデートがなされる様子を示す図である。
【図６２】本発明のディスプレイ部で画面設定がなされる様子を示す図である。
【図６３】本発明のディスプレイ部で画面設定がなされる様子を示す図である。
【図６４】本発明のディスプレイ部で画面ロック解除がなされる様子を示す図である。
【図６５】本発明のディスプレイ部で日付または時間が設定される様子を示す図である。
【図６６】本発明のディスプレイ部で日付または時間が設定される様子を示す図である。
【図６７】本発明のディスプレイ部及び音声信号を用いてスマート遠隔診断を行う様子を示す図である。
【図６８】本発明のディスプレイ部及び音声信号を用いてスマート遠隔診断を行う様子を示す図である。
【図６９】本発明のディスプレイ部で使用者登録がなされる様子を示す図である。
【図７０】本発明のディスプレイ部で使用者登録がなされる様子を示す図である。
【図７１】本発明の一実施例に関連する冷蔵庫制御のためのアプリケーションが無線端末機上で表示される形態の一例を示す図である。
【図７２】本発明の一実施例に関連する冷蔵庫制御のためのアプリケーションの食品管理メニューが無線端末機上で表示される形態の一例を示す図である。
【図７３】本発明の一実施例に関連する無線端末機上で冷蔵庫制御のためのアプリケーションの食品管理メニューから貯蔵室の貯蔵物情報を確認する方法の一例を示す図である。
【図７４】本発明の一実施例に関連する無線端末機上で冷蔵庫制御のためのアプリケーションの食品管理メニューから貯蔵物の詳細情報を確認する方法の一例を示す図である。
【図７５】本発明の一実施例に関連する無線端末機上で冷蔵庫制御のためのアプリケーションの食品管理メニューを介して、追加される貯蔵物を特定する方法の一例を示す図である。
【図７６】本発明の一実施例に関連する無線端末機上で実行される冷蔵庫制御のためのアプリケーションのレシピーメニュー構成の一例を示す図である。
【図７７】本発明の一実施例に関連する無線端末機上で実行される冷蔵庫制御のためのアプリケーションのレシピー検索方法の一例を示す図である。
【図７８】本発明の一実施例に関連する無線端末機上で実行される冷蔵庫制御のためのアプリケーションのショッピングリストメニュー構成の一例を示す図である。
【図７９】本発明の一実施例に関連する無線端末機上で実行される冷蔵庫制御のためのアプリケーションの冷蔵庫温度メニュー構成の一例を示す図である。
【発明を実施するための形態】
【００２２】
以下、添付の図面を参照しつつ、本発明の実施例について説明する。
【００２３】
図１に示すように、本発明に係る冷蔵庫は、貯蔵室を有する本体１と、貯蔵室を開閉するドアと、を備えており、ドアには、使用者に情報を提供し、または情報が入力されるディスプレイ装置２００が設けられている。
【００２４】
貯蔵室は、冷凍室５と冷蔵室６とに区分される。冷凍室５と冷蔵室６は、図１では相互に並列的に配置されたものとしたが、上下に配置されてもよい。
【００２５】
一方、冷凍室５の内部には、冷凍室５の内部の温度よりも顕著に低い温度に維持される特冷室（図示せず）が配置されてもよい。
【００２６】
特冷室（図示せず）は、比較的少量の肉類や魚を急速に冷凍して、長期間冷凍保管する機能を果たす。
【００２７】
一方、ドアは、冷凍室５を開閉する冷凍室ドア７、及び冷蔵室６を開閉する冷蔵室ドア８を含む。
【００２８】
そして、冷蔵室ドア８には、冷蔵室５と区画して補助貯蔵室１０が設けられており、冷蔵庫ドア８の前方には、補助貯蔵室１０を開閉できる補助ドア１１が設けられる。
【００２９】
一方、冷凍室ドア７及び冷蔵室ドア８にはそれぞれ、取っ手７ａ，８ａが取り付けられる。
【００３０】
冷凍室５または冷蔵室６の内部には、その内部の空気を浄化させ、空気中の細菌を除菌できるフィルター装置２９５が設けられる。該フィルター装置２９５は、フィルターユニットと、空気を吸入できるファンユニットとを含むことが好ましい。
【００３１】
フィルター装置２９５は、冷凍室５または冷蔵室６の背部に設けられることによって、冷凍室５または冷蔵室６の空気を吸入し、吸入された空気中の異物及び細菌を除去することができる。
【００３２】
フィルター装置２９５の周囲には、フィルター装置２９５が動作中であることを知らせる照明装置２９６が設けられることが好ましい。
【００３３】
図１で、ディスプレイ装置２００は、冷凍室ドア７の前面に露出されるように設けられるとしたが、冷蔵室ドア８に設けられてもよい。
【００３４】
後述するが、ディスプレイ装置２００には、種々の情報が記憶されており、このような情報がディスプレイ装置２００を介して使用者に提供されてもよく、使用者がディスプレイ装置２００を介して所定の情報を入力してもよい。
【００３５】
該情報は、冷蔵庫の動作に関するものでもよく、冷凍室５や冷蔵室７に貯蔵された貯蔵物に関する情報、または所定の食材料を用いて作ることができる食べ物に関するレシピー情報、または使用者のメモなどでもよい。
【００３６】
そして、ディスプレイ装置２００は、外部のＰＤＡやスマートフォンのような無線端末機Ｃと相互通信可能に設けられ、情報の流れが連動する構成とすることができる。
【００３７】
即ち、ディスプレイ装置２００で処理された情報が、無線通信網を通じて無線端末機Ｃに表示されてもよい。
【００３８】
または、無線端末機Ｃを介して処理された情報がディスプレイ装置２００に反映されてもよい。
【００３９】
図２は、ドア７、及びドア７に備えられるディスプレイ装置２００の斜視図である。
【００４０】
ここで、ディスプレイ装置２００は、画面を構成するディスプレイ部２４１を有する。このディスプレイ部２４１は、ドア７の前面の上部側に外部に向かって露出されるように設けられることが好ましい。
【００４１】
一方、ドア７の一方の側には、カバー部材３０が着脱自在に設けられる。カバー部材３０は、後述する記憶装置（例えば、ＳＤメモリカード、ＵＳＢ記憶装置）が差し込まれる挿入スロット２４５（図３参照）を選択的にカバーする役割を果たす。
【００４２】
図３に示すように、ドア７は、ドアの前方構成要素である前方ドア７１と、ドアの後方構成要素である後方ドア７２と、を含む。
【００４３】
ディスプレイ装置２００は、前方ドア７１と後方ドア７２との間に設けられる。
【００４４】
ディスプレイ装置２００は、ディスプレイ部２４１と、ディスプレイ部２４１を取り囲むハウジング部２４３と、ハウジング部２４３の一方の側に設けられる挿入スロット２４５と、を備える。
【００４５】
一方、ディスプレイ装置２００は、フレーム部５０に収容される。フレーム部５０は、ディスプレイ装置２００を収容できる収容空間５０ａを有しており、後方ドア７２と前方ドア７１との間に設けられる。
【００４６】
前方ドア７１の前面には、ディスプレイ部２４１が前方に露出されるように前面開放部７１ａが形成されている。
【００４７】
一方、前方ドア７１の一側面とフレーム部５０の一側面には、挿入スロット２４５が露出されるように側面開放部７１ｂ，５０ｂが形成されている。
【００４８】
一方、側面開放部７１ｂ，５０ｂには、カバー部材３０が着脱自在に取り付けられる。
【００４９】
図４に示すように、挿入スロット２４５に記憶装置Ｍを差し込み、ディスプレイ装置２００に情報を提供し、または、ファームウェアやその他の情報をアップデートする際には、カバー部材３０を側面開放部７１ｂ，５０ｂから外して挿入スロット２４５を露出させればよい。
【００５０】
そして、アップデートや情報提供が終わると、カバー部材３０を側面開放部５０ｂ、７１ｂに結合させ、挿入スロット２４５が外部に露出されないようにする（図２参照）。
【００５１】
図１乃至図４では、ドアのうち、冷凍室ドア７にディスプレイ装置２００が備えられるとした。
【００５２】
この場合、挿入スロット２４５の設けられる冷凍室ドア７の側面が、冷凍室ドア７と並列的に配置される冷蔵室ドア８の側面と対向する構成にすることが好ましい。
【００５３】
図５は、本発明に係る制御ブロック図である。
【００５４】
図５を参照すると、本発明に係る冷蔵庫用ディスプレイ装置２００は、通信部２１０、Ａ/Ｖ（Ａｕｄｉｏ／Ｖｉｄｅｏ）入力部２２０、使用者入力部２３０、出力部２４０、メモリ２５０、インターフェース部２６０、ＲＦＩＤリーダ部２７０、制御部２８０、電源供給部２９０、及び挿入スロットなどを含むことができる。
【００５５】
以下、これらの構成要素について順に説明する。
【００５６】
通信部２１０は、ディスプレイ装置２００と有線または無線通信システムとの間、またはディスプレイ装置２００の位置しているインターネットネットワークでインターネットの使用を可能にする一つ以上のモジュールを含むことができる。
【００５７】
例えば、通信部２１０は、放送受信モジュール２１１、移動通信モジュール２１２、インターネットモジュール２１３、及び近距離通信モジュール２１４などを含むことができる。
【００５８】
放送受信モジュール２１１は、制御部２８０の制御によって、放送チャネルを通じて外部の放送管理サーバーから放送信号及び／または放送関連情報を受信してディスプレイ部２４１上で再生する。
【００５９】
移動通信モジュール２１２は、移動通信ネットワーク上で基地局、外部の端末、サーバーの少なくとも一方と信号を送受信する。この信号は、音声信号、テレビ電話信号または文字／マルチメディアメッセージ送受信による様々な形態のデータを含むことができる。
【００６０】
インターネットモジュール２１３は、有線／無線インターネット接続のためのモジュールを指す。無線インターネット技術には、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などを用いることができる。
【００６１】
近距離通信モジュール２１４は、近距離通信のためのモジュールを指す。近距離通信技術には、ブルトゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ：ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅなどを用いることができる。
【００６２】
Ａ／Ｖ入力部２２０は、オーディオ信号またはビデオ信号入力のためのもので、カメラ２２１及びマイク２２２などを含むことができる。
【００６３】
カメラ２２１は、画像通話モードまたは撮影モードでイメージセンサーにより得られる静止画像または動画像などの画像データを処理する。処理された画像データをディスプレイ部２４１に表示してもよい。
【００６４】
カメラ２２１で処理された画像データは、メモリ２５０に記憶され、または通信部２１０を介して外部に伝送されるようにしてもよい。カメラ２２１は、使用環境に応じて２個以上が設けられてもよい。
【００６５】
マイク２２２は、通話モード、録音モードまたは音声認識モードなどでマイクロホンを介して外部の音響信号を取り込み、電気的な音声データに処理する。
【００６６】
使用者入力部２３０は、使用者が冷蔵庫用端末機であるディスプレイ装置２００の動作制御のための入力データを発生させる。使用者入力部２３０は、キーパッド、方向キー、ドームスイッチ、タッチパッド（定圧／定電）、ジョグホイール、ジョグスイッチなどを含むことができる。
【００６７】
出力部２４０は、視覚または聴覚などに関連する出力を発生させるもので、ディスプレイ部２４１及び音響出力モジュール２４２などを備えることができる。
【００６８】
ここで、音響出力モジュール２４２は、スピーカーで構成されることが好ましい。
【００６９】
ディスプレイ部２４１は、ディスプレイ装置２００で処理される情報を表示（出力）する。
【００７０】
例えば、ディスプレイ装置２００に冷蔵庫に関連する情報を表示する場合に、冷蔵庫に関連する情報などをウィジェット、アイコンなどのような形態のＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）を表示する。
【００７１】
このようなディスプレイ部２４１は、液晶ディスプレイ（ｌｉｑｕｉｄ  ｃｒｙｓｔａｌ  ｄｉｓｐｌａｙ：ＬＣＤ）、薄膜トランジスタ液晶ディスプレイ（ｔｈｉｎ  ｆｉｌｍ  ｔｒａｎｓｉｓｔｏｒ−ＬＣＤ：ＴＦＴ ＬＣＤ）、有機発光ダイオード（ｏｒｇａｎｉｃ  ｌｉｇｈｔ−ｅｍｉｔｔｉｎｇ  ｄｉｏｄｅ：ＯＬＥＤ）、フレキシブルディスプレイ、３次元（３Ｄ）ディスプレイのうちの少なくとも一つを含むことができる。
【００７２】
ディスプレイ部２４１とタッチ動作を感知するセンサー（以下、「タッチセンサー」という。）とがレイヤー構造をなす場合（以下、「タッチスクリーン」という。）に、ディスプレイ部２４１は、出力装置の他、入力装置として用いることもできる。
【００７３】
タッチセンサーは、例えば、タッチフィルム、タッチシート、タッチパッドなどの形態を有することができる。
【００７４】
タッチセンサーは、ディスプレイ部２４１の特定部位に加えられた圧力またはディスプレイ部２４１の特定部位に発生する静電容量などの変化を電気的な入力信号に変換する構成とすることができる。タッチセンサーは、タッチされる位置及び面積の他、タッチ時の圧力も検出できるように構成することができる。
【００７５】
タッチセンサーへのタッチ入力がある場合に、それに対応する信号はタッチ制御器（図示せず）に送られる。タッチ制御器は、該信号を処理した後に、対応するデータを制御部２８０に伝送する。
【００７６】
これにより、制御部２８０は、ディスプレイ部２４１のどの領域がタッチされたか等がわかる。
【００７７】
音響出力モジュール２４２は、メモリ２５０に記憶されたオーディオ信号が含まれたデータを出力し、または、冷蔵庫に関連する動作状態を使用者に知らせるための音響を出力する。
【００７８】
音響出力モジュール２４２は、レシーバ、スピーカー、ブザーなどを含むことができる。
【００７９】
メモリ２５０には、制御部２８０の処理及び制御のためのプログラムが格納されていてもよく、冷蔵庫の作動に関連する情報が記憶されていてもよい。
【００８０】
また、メモリ２５０は、本発明によって、リアルタイムの電力情報を受信して記憶することができる。
【００８１】
ここで、電力情報は、時間帯別電力料金の変化及び推移に関連する情報、電力会社または電力サービス会社から提供される一般家庭での時間帯別電力消費量及び基準電力料金などを含む。
【００８２】
このような電力情報は、通信部２１０を介して外部のサービスサーバー、ウェブサーバーなどから取得してもよく、インターフェース部２６０を介して外部の装置から取得してもよい。
【００８３】
また、メモリ２５０は、電力情報を使用者に様々な視覚的な効果として提供するグラフィックデータを記憶する。
【００８４】
メモリ２５０は、フラッシュ型メモリ、ハードディスク型メモリ、マルチメディアマイクロカード型メモリ、カード型メモリ（例えば、ＳＤカード、ＸＤカード等）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうちの少なくとも一つのタイプの記憶媒体を含むことができる。
【００８５】
インターフェース部２６０は、冷蔵庫用端末機であるディスプレイ装置２００に接続する全ての外部機器との通路の役割を果たす。
【００８６】
インターフェース部２６０は、外部機器からデータを受信したり、電源を受けたりして、冷蔵庫用端末機であるディスプレイ装置２００の内部の各構成要素に伝達し、または冷蔵庫用端末機であるディスプレイ装置２００の内部のデータが外部機器に伝送されるようにする。
【００８７】
例えば、インターフェース部２６０としては、有線／無線ヘッドセットポート、外部充電器ポート、有線／無線データポート、メモリカードポート、識別モジュール付き装置を接続するポート、オーディオＩ／Ｏ（Ｉｎｐｕｔ／Ｏｕｔｐｕｔ）ポート、ビデオＩ／Ｏポート、イヤホンポートなどを挙げることができる。
【００８８】
制御部２８０は、通常、ディスプレイ装置２００の全般的な動作を制御する。この場合、制御部２８０は冷蔵庫１内のマイクロプロセッサであってもよい。
【００８９】
電源供給部２９０は、制御部２８０の制御によって、冷蔵庫１の電源またはインターフェース部２６０から供給された外部電源を印加して、各構成要素の動作に必要な電源を供給する。
【００９０】
ここで説明される様々な実施例は、例えば、ソフトウェア、ハードウェアまたはこれらの組み合わせにより、コンピュータまたはこれと同等の装置で読み込み可能な記録媒体内に具現化することができる。
【００９１】
ハードウェア的に具現化する場合、ここに説明される実施例は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、制御器、マイクロコントローラ、マイクロプロセッサ、その他機能実行のための電気的なユニットのうちの少なくとも一つを用いて具現化することができる。
【００９２】
一部の場合に、本明細書で説明される実施例を、制御部２８０そのもので実行することもできる。
【００９３】
ソフトウェア的に具現化する場合、本明細書で説明される手順及び機能のような実施例は、別のソフトウェアモジュールとすることができる。ソフトウェアモジュールのそれぞれは、本明細書で説明する一つ以上の機能及び動作を行うことができる。
【００９４】
適切なプログラム言語で書かれたソフトウェアアプリケーションでソフトウェアコードを具現化することができる。該ソフトウェアコードはメモリ２５０に記憶され、制御部２８０により実行することができる。
【００９５】
制御部２８０には、冷蔵庫本体に設けられる圧縮器２９２、冷気ファン２９３、照明装置２９６、フィルター装置２９５、除霜ヒーター２９７などを駆動する駆動部が接続されてもよい。
【００９６】
そのため、これらの構成要素は、制御部２８０の命令に応じて動作することができる。
【００９７】
次に、上述したような構造を有する冷蔵庫のディスプレイ部２４１上で具現化されるユーザーインターフェースについて説明する。
【００９８】
まず、初期画面について、図６を参照して説明する。
【００９９】
図６は、本発明の一実施例に係る冷蔵庫のディスプレイ部に表示される初期画面配置形態の一例を示す図である。
【０１００】
図６を含め、以下の図面ではディスプレイ部をタッチスクリーンとして説明する。
【０１０１】
初期画面は、冷蔵庫に電源が印加され、オペレーティングシステム（ＯＳ）の立ち上げが完了した後に初めて表示されたり、ディスプレイ部がオフになってから再びオンになるイベント（例えば、使用者入力部の操作や貯蔵室のドア開放など）が発生する時などに表示されたりする。
【０１０２】
図６を参照すると、ディスプレイ部２４１内の左側上段にはＷｉ−Ｆｉ受信強度を表示するインジケータ６１０が表示され、右側上段には現在時刻６２０が表示される構成とすることができる。インジケータ６１０は、現在活性化されている無線インターフェースによってその形態を変更可能である。中段部６３０には、様々なウィジェットが表示され、下段部６４０には、当該タッチスクリーンを通じて実行できるメニューのアイコンが配置される。例えば、アイコンとしては、食品管理アイコン６４１、レシピーアイコン６４２、ショッピングリストアイコン６４３、環境設定アイコン６４４、冷蔵庫管理アイコン６４５、日程アイコン６４６及びメモアイコン６４７が下段部６４０に表示される。以下、各アイコンに対応する機能について順に説明する。
【０１０３】
また、タッチスクリーン２４１の下段には、使用者の音声命令を電気信号に変換するためのマイク２２２、２２２’を配置することができる。
【０１０４】
図６で説明したメニューアイコン、インジケータ及びウィジェットの配置形態／位置／種類は例示的なもので、本発明はこれには限定されず、様々な構成に適用されてもよい。
【０１０５】
以下、各メニューアイコンに対応する機能についてより詳細に説明する。
【０１０６】
［食品管理メニュー］
まず、図７乃至図１９を参照して食品管理メニューについて説明する。
【０１０７】
図７は、本発明の一実施例に係る冷蔵庫のディスプレイ部に表示される食品管理メニュー初期画面の一例を示す図である。
【０１０８】
食品管理メニューは、貯蔵室に貯蔵されている貯蔵物の情報を新しく登録したり、登録された貯蔵物の情報を確認／修正／削除したりするための機能を発揮し、図６を参照して上述した初期画面において下段部６４０の食品管理アイコン６４１を選択することで呼び出すことができる。
【０１０９】
食品管理メニューが呼び出されると、初期画面において、図７（ａ）のように、タッチスクリーン２４１には食品管理メニューへと画面が切り替わって表示され、あらかじめ貯蔵された貯蔵物の情報がメモリ２５０にある場合は、これを開いていることを表すポップアップウィンドウ７１０を表示することが可能である。
【０１１０】
また、左側上段には、「ホーム」ボタン７０１、「メニュー」ボタン７０３及び「戻る」ボタン７０５が表示される。「ホーム」ボタン７０１が選択される場合に、最後に表示された初期画面へ移動でき、「メニュー」ボタン７０３が選択される場合に、食品管理メニューの設定を変更したり、下位メニューを表示したりすることができる。「戻る」ボタン７０５が選択される場合は、最後に表示されたメニューや最後に表示された初期画面へと移動できる。前述の「ホーム」ボタン７０１、「メニュー」ボタン７０３及び「戻る」ボタン７０５は、食品管理メニューの他、レシピーやショッピングリストなどの他のメニューにおいても同一／類似の形態で表示されてもよく、その機能はメニュー別に異ならせることができる。
【０１１１】
あらかじめ貯蔵された貯蔵物の情報のメモリ２５０からのローディングが完了した場合に、図７（ｂ）のように、冷蔵庫内部の貯蔵室の形態にした内部空間グラフィック７２０、及び貯蔵物特定のための貯蔵物選択領域７３０が表示され、その下段には、食品管理メニューの下位メニューアイコン７４１乃至７４９が表示される。貯蔵物選択領域には、貯蔵物を、音声入力を通じて特定するためのマイクアイコン７３１、及び仮想タッチキーボードで貯蔵物の名称をテキスト入力するためのキーボードアイコン７３３をさらに表示することができる。一方、各貯蔵室に保管された貯蔵物の保管期限の満了が迫った場合、当該貯蔵室の色を変更する等の視覚効果を付与することができる。
【０１１２】
次に、図８を参照して頻度別整列を用いた貯蔵物の追加方法について説明する。
【０１１３】
図８は、本発明の一実施例に係る冷蔵庫のディスプレイ部を介して頻度別に貯蔵物情報を入力する形態の一例を示す図である。
【０１１４】
まず、図８（ａ）のように、貯蔵物選択領域の上段には、「頻度別」タブ８１０と「カテゴリー別」タブ８２０が表示される。頻度別タブ８１０が選択される場合に、貯蔵物選択領域の中段に入力頻度の高い順番で貯蔵物のアイコンが整列されて表示される。即ち、使用者が頻繁に貯蔵する貯蔵物に対応するアイコンであるほど上段に表示される。この時、選択された貯蔵物アイコン８３１の色を変更してもよく、タッチがフリッキングにつながる場合は、貯蔵物アイコンを上下方向にスクロールすることが可能である。
【０１１５】
貯蔵物が鶏肉である場合に、これを貯蔵室の特定貯蔵室８４１に保管するという情報を入力するために、図８（ｂ）のように、貯蔵物選択領域で鶏肉アイコン８３１に一定時間タッチ状態を維持することで鶏肉アイコンが活性化され、移動可能なアイコン８３３が分離される。
【０１１６】
続いて、使用者が図８（ｃ）のように、分離されたアイコン８３３を本来のアイコン位置８３１から希望の貯蔵室８４１にドラッグした後に、タッチを解除すると、図８（ｄ）のように、詳細情報ポップアップウィンドウ８５０が表示されるとよい。より詳細には、ポップアップウィンドウ８５０には、貯蔵物に対応するアイコン８３１、貯蔵物の数量を調節するための「＋／−」ボタン８５１及び「保管期限変更」ボタン８５３が表示されるとよい。
【０１１７】
「保管期限変更」ボタンが選択されることによって行われる保管期限変更機能について、図９を参照して説明する。
【０１１８】
図９は、本発明の一実施例に係る冷蔵庫のディスプレイ部を介して貯蔵物情報のうち保管期限を設定する形態の一例を示す図である。
【０１１９】
図８の「保管期限変更」ボタン８５３が選択される場合に、図９に示すように、期限変更ポップアップウィンドウが表示される。ポップアップウィンドウでは、保管開始日９１０及び保管終了日９２０が「＋／−」ボタンの操作により変更することができる。変更を終えた場合、使用者は「保存」ボタン９３０を選択して変更された保管期限を保存し、または「取消」ボタン９４０を選択して保管期限変更を取り消すことができる。
【０１２０】
前述したように設定された保管期限は、後述される保管期限お知らせウィジェット上で差し迫った順番で表示されてもよい。
【０１２１】
次に、図１０を参照してマジックスペースについて説明する。
【０１２２】
図１０は、本発明の一実施例に係る冷蔵庫のディスプレイ部を介して別途の貯蔵室が選択される形態の一例を示す図である。
【０１２３】
図１０は、図８及び図９の順序に従って鶏肉の情報の保存が完了した後の状態であると仮定する。そのため、図１０（ａ）では、貯蔵室の一領域１０１０に鶏肉アイコン１０２０が表示され、当該位置に鶏肉が貯蔵される旨を表すことができる。冷蔵庫内部空間グラフィックにおいてマジックスペース領域１０３０が選択される場合に、図１０（ｂ）のように、冷蔵庫内部空間グラフィックが外部形状グラフィックに変更され、外部形状においてマジックスペースに対応する領域には、マジックスペースが開放された形態１０４０で表示される。マジックスペース内に貯蔵物情報を追加する過程は、冷蔵庫内部の貯蔵室に貯蔵物情報を追加する過程と同一なので、重複説明は省略する。一方、冷蔵庫外部形状グラフィックにおいてマジックスペース以外の部分が選択されると、再び内部空間グラフィックが表示されるように構成することができる。
【０１２４】
次に、図１１を参照してカテゴリー別貯蔵物選択について説明する。
【０１２５】
図１１は、本発明の一実施例に係る冷蔵庫のディスプレイ部を介してカテゴリー別に貯蔵物情報を入力する形態の一例を示す図である。
【０１２６】
まず、図１１（ａ）のように、貯蔵物選択領域の上段におけるカテゴリー別タブ１１２０が選択されると、該タブの下段に貯蔵物のカテゴリーに対応するアイコンが表示される。ここで、果物アイコン１１２１が選択されると、図１１（ｂ）のように、タブの下段１１３０には、各果物に該当するアイコンが表示される。ここで、使用者が特定の果物に対する貯蔵情報を入力しようとする場合、果物アイコンのいずれかを活性化させた後、貯蔵室の一領域にドラッグ＆ドロップし、以降表示される詳細情報ポップアップウィンドウを介して詳細情報を確認／修正できることは、図８を参照して前述した通りである。
【０１２７】
次に、図１２乃至図１３を参照して貯蔵室に保管される貯蔵物の情報を確認する方法について説明する。
【０１２８】
図１２は、本発明の一実施例に係る冷蔵庫のディスプレイ部を介して貯蔵室の貯蔵物情報を確認する形態の一例を示す図である。
【０１２９】
図１２では、一つの貯蔵室に４種類の貯蔵物に関する保管情報が予め入力されている場合を仮定する。また、貯蔵物は、貯蔵室別に最近に保管した（即ち、保管情報を入力した）２つの貯蔵物に対応するアイコンのみ表示されると仮定する。
【０１３０】
図１２（ａ）を参照すると、特定貯蔵室１２１０に貯蔵物の情報に対応するアイコンと共に、貯蔵物の数字を表すインジケータ１２２０が表示される。インジケータは、当該貯蔵室の貯蔵物の種類が２個を超過する時にのみ表示されてもよく、常に表示されてもよい。一方、インジケータに表示される数字は、貯蔵物の種類を表してもよく、入力回数を表してもよい。即ち、２回に渡って同じ貯蔵物を入力すると、種類を表す時にはインジケータが１と表示され、入力回数を表す時には２と表示される。
【０１３１】
この時、使用者が該当する貯蔵室を選択すれば、図１２（ｂ）のように、貯蔵室領域を活性化させながら所定比率に拡大可能である。これと同時に、最近に保管した２つの貯蔵物のアイコン１２４１，１２４３のそれぞれの下段には貯蔵物の名称が表示され、その左右には、他の貯蔵物の確認のためのスクロールボタン１２３１，１２３３が表示される。
【０１３２】
図１２（ｂ）で豆腐アイコン１２４３が選択された場合について、図１３を参照して説明する。
【０１３３】
図１３は、本発明の一実施例に係る冷蔵庫のディスプレイ部を介して貯蔵室に貯蔵された貯蔵物の詳細情報を確認する形態の一例を示す図である。
図１２（ｂ）で豆腐アイコン１２４３が選択されると、図１３（ａ）のように、豆腐の詳細情報を確認／変更するためのポップアップウィンドウが表示される。この時、ポップアップ窓の形態は、基本的に図８（ｄ）と同様である。即ち、ポップアップウィンドウには、貯蔵物に対応するアイコン１３１０、貯蔵物の数量を調節するための「＋／−」ボタン１３２０、及び「保管期限変更」ボタン１３３０が表示されるとよい。また、下段には、当該貯蔵物を材料にするお勧め料理例アイコン１３４０、当該貯蔵物をショッピングリストに追加するためのアイコン１３５０、当該貯蔵物の貯蔵情報を削除するためのゴミ箱アイコン１３６０、確認アイコン１３７０、及び取消１３８０アイコンを表示することが可能である。ただし、図８（ｄ）との相違点は、詳細情報が初期貯蔵情報入力時に設定された値で表示されるという点である。
【０１３４】
ここで、お勧め料理例１３４０アイコンが選択されると、図１３（ｂ）のように、当該貯蔵物を材料とするお勧め料理を含むポップアップウィンドウ１３９０が表示される構成とすることができる。
【０１３５】
次に、図１４を参照して音声入力について説明する。
【０１３６】
図１４は、本発明の一実施例に係る冷蔵庫において音声命令によって貯蔵物が選択される形態の一例を示す図である。
【０１３７】
図１４（ａ）のように、貯蔵物選択領域の下段のマイクアイコン１４１０が選択されると、制御部２８０は、マイク２２２を活性化させ、音声を入力される準備が完了すると、図１４（ｂ）のように、音声入力を指示するポップアップウィンドウ１４２０が表示されるように構成することができる。入力された音声が認識されると、図１４（ｃ）のように、認識結果に基づく貯蔵物のアイコンを含むポップアップウィンドウ１４３０が表示されるようにすることが可能である。ここで、使用者が音声命令によって選択しようとする貯蔵物がニンニクである場合、使用者はニンニクに該当するアイコン１４３１を選択し、これにより、図１４（ｄ）のように、冷蔵庫の内部空間グラフィック１４５０を含むウィンドウ１４４０が表示される。冷蔵庫の内部空間グラフィック１４５０内で貯蔵室１４５１が選択されると、以降の過程は、図８などを参照して前述した詳細情報ポップアップウィンドウ表示以降の過程と同一なため、明細書の記載を簡潔かつ明りょうとするために、重複記載は省略する。万一、音声入力の認識に失敗した場合は、認識失敗を知らせ、音声再入力を使用者に要請する情報がさらに表示されてもよい。
【０１３８】
次に、図１５を参照して仮想キーボード入力について説明する。
【０１３９】
図１５は、本発明の一実施例に係る冷蔵庫において仮想キーボードを介して貯蔵物が選択される形態の一例を示す図である。
【０１４０】
図１５（ａ）のように、貯蔵物選択領域の下段のキーボードアイコン１５１０が選択されると、図１５（ｂ）のように、仮想キーボード１５３０が表示される。仮想キーボードで入力されたテキストは上段領域１５２０に表示され、使用者は希望検索語の入力が完了すると、検索ボタン１５４０を選択することができる。
【０１４１】
次に、図１６を参照して新規貯蔵物を保存する過程について説明する。
【０１４２】
図１６は、本発明の一実施例に係る冷蔵庫において、仮想キーボードを介して新しい貯蔵物を登録して保存する形態の一例を示す図である。
【０１４３】
図１６では、メモリ２５０に「ガムジャッカン」という食品に関する情報がなく、それに対応する頻度別アイコン及びカテゴリー別アイコンが存在しない場合を仮定する。
【０１４４】
まず、図１６（ａ）のように、使用者が仮想キーボードを介して「ガムジャッカン」と入力して検索を行う。しかし、メモリ２５０に「ガムジャッカン」に関する情報が存在しないため、図１６（ｂ）のように、「ガムジャッカン」という貯蔵物の種類を追加するためのメニュー１６１０が表示される。貯蔵物種類追加メニュー１６１０が選択されることによって、図１６（ｃ）のように、使用者データベースに当該貯蔵物を追加するか否かを確認するためのポップアップウィンドウ１６２０が表示される。ポップアップウィンドウで追加のために「はい」を選択した場合に、図１６（ｄ）のように、冷蔵庫の内部空間グラフィックを含むウィンドウが表示されるとよい。貯蔵場所が選択された以降の、詳細情報設定などの後続過程は前述した通りである。
【０１４５】
上述した通り、設定された貯蔵物の保管情報は外部装置から伝送されてもよく、外部装置に保存されている情報を冷蔵庫で開いてもよい。このとき、外部装置は、スマートフォンのような無線端末機でもよく、サーバーでもよい。外部装置への接続は、通信部２１０を介して行うことができる。そのための命令入力方法について、図１７を参照して説明する。
【０１４６】
図１７は、本発明の一実施例に係る冷蔵庫のディスプレイ部で外部装置との通信のための命令入力が行われる形態の一例を示す図である。
【０１４７】
まず、現在、メモリ２５０に保存されている貯蔵物の保管情報を外部サーバーに伝送しようとする場合に、使用者は、図１７（ａ）のように、食品管理メニューの下段の「送る」ボタン１７１０を選択することができる。これにより、伝送状態を表すポップアップウィンドウを、図１７（ｂ）のように表示することが可能である。逆に、外部装置に保存されている貯蔵物の保管情報をメモリ２５０で開こうとする場合に、使用者は、図１７（ｃ）のように、食品管理メニューの下段における「開く」ボタン１７２０を選択することができる。これにより、伝送状態を表すポップアップウィンドウを、図１７（ｄ）のように表示することが可能である。
【０１４８】
一方、冷蔵庫内部空間グラフィック上の貯蔵室に表示されるアイコンは、レシピーまたはショッピングリストに追加されてもよい。これについて、図１８を参照して説明する。
【０１４９】
図１８は、本発明の一実施例に係る冷蔵庫のディスプレイ部に表示される貯蔵物が、他のメニューに追加される形態の一例を示す図である。
【０１５０】
まず、図１８（ａ）のように、使用者は、レシピーに追加する貯蔵物が保管されている貯蔵室１８１０を選択して当該貯蔵室を活性化させ、追加する貯蔵物のアイコン１８２０を下段のレシピーメニュー１８３０にドラッグすることができる。これにより、図１８（ｂ）のように、追加結果を表すポップアップウィンドウを表示することが可能である。
【０１５１】
また、図１８（ｃ）のように、使用者は、ショッピングリストに追加する貯蔵物が保管されている貯蔵室１８１０を選択して当該貯蔵室を活性化させ、追加する貯蔵物のアイコン１８２０を下段のショッピングリストメニュー１８４０にドラッグすることができる。これにより、図１８（ｄ）のように、追加結果を表すポップアップウィンドウを表示することが可能である。
【０１５２】
冷蔵庫内部空間グラフィック上の貯蔵室に表示されるアイコンは削除されてもよい。これについて、図１９を参照して説明する。
【０１５３】
図１９は、本発明の一実施例に係る冷蔵庫のディスプレイ部に表示される貯蔵物が削除される形態の一例を示す図である。
【０１５４】
まず、図１９（ａ）のように、貯蔵物が貯蔵された貯蔵室が活性化された後、使用者が削除を希望する貯蔵物のアイコン１９１０をゴミ箱１９２０にドラッグする方法によって貯蔵物が削除されてもよい。ここで、貯蔵物が削除されるということは、貯蔵室に表示されるアイコンの他、削除されるアイコンに対応する貯蔵物の貯蔵情報も削除されることを意味するようにしてもよい。これにより、図１９（ｂ）のように、当該貯蔵物がゴミ箱に捨てられたことを知らせるポップアップウィンドウ１９３０を表示することが可能である。
【０１５５】
一方、範囲を定めた削除も可能である。具体的には、図１９（ｃ）のように、上段の「メニュー」ボタン１９４０が選択されると、図１９（ｄ）のように、下段に、削除範囲を選択するためのメニュー１９５０を表示してもよい。即ち、冷凍室全体削除、冷蔵室全体削除、マジックスペース全体削除及び冷蔵庫全体削除などのように範囲を特定でき、範囲が特定されると、該当する範囲内に貯蔵されている貯蔵物に関する情報を一度に削除することが可能になる。
【０１５６】
［レシピーメニュー］
以下では、図２０乃至図２６を参照して食品管理メニューについて説明する。
【０１５７】
図２０は、本発明の一実施例に係る冷蔵庫のディスプレイ部に表示されるレシピーメニュー初期画面の一例を示す図である。
【０１５８】
食品管理メニューは、貯蔵室に貯蔵された貯蔵物を用いて作ることができる料理の情報やカテゴリー別料理を検索したり推薦を受けたりするための機能で、図６を参照して上述した初期画面において下段部６４０のレシピーアイコン６４２を選択することによって開くことができる。
【０１５９】
図２０を参照すると、レシピーメニューが活性化されると、右側には貯蔵物選択領域２０１０が用意される。貯蔵物選択領域は、保管期間の満了が迫った貯蔵物の順に整列されたアイコンを示す保管期間タブ２０１１、または保有している食品をカテゴリー順または読み仮名順に示す保有食品タブ２０１３を選択することによって、貯蔵物のアイコン配置順序や整列基準を変更することができる。中央上段には、料理の材料として選択された貯蔵物が配置される材料領域２０２０が用意される。使用者が下段の「レシピーを見る」ボタン２０３０を押すと、材料領域２０２０に存在するアイコンに対応する貯蔵物を材料とするレシピー目録が、左側のレシピー結果領域２０４０に表示される。
【０１６０】
材料領域に位置している貯蔵物のアイコン２０２１は、前述の図１８（ａ）のように食品管理メニューから追加されたものでもよく、右側の貯蔵物選択領域から選択されたものでもよい。貯蔵物選択領域から貯蔵物アイコンを材料領域に追加する方法について、図２１を参照して説明する。
【０１６１】
図２１は、本発明の一実施例に係る冷蔵庫のディスプレイ部に表示されるレシピーメニューにおいて、貯蔵物アイコンをレシピー材料に追加する方法について説明するための図である。
【０１６２】
まず、図２１（ａ）を参照すると、保管期間タブが選択された状態で、使用者が鶏肉アイコン２１１０に所定時間（例えば、１秒間）タッチ状態を維持することによって当該アイコンが活性化され、移動可能な状態になる。このとき、使用者が当該アイコン２１１０を材料領域２１２０にドラッグ＆ドロップすることによって、図２１（ｂ）のように鶏肉アイコンを材料領域に配置することが可能である。
【０１６３】
一方、使用者は保管期間が迫ってはいないが、材料としたい貯蔵物を材料領域に追加するために、図２１（ｃ）のように保有食品タブ２１３０を選択することができる。これにより表示されるアイコンのうち、例えば、ヨルムキムチに該当するアイコン２１４０を活性化した後に材料領域にドラッグすることができる。その後、図２１（ｄ）のように、「レシピーを見る」ボタン２１５０を選択すると、左側のレシピー結果領域２１６０に鶏肉とヨルムキムチを材料にするレシピーが表示される。
【０１６４】
次に、表示されたレシピーを選択することによってレシピー詳細情報が表示される形態について図２２を参照して説明する。
【０１６５】
図２２は、本発明の一実施例に係る冷蔵庫のディスプレイ部に表示されるレシピーの詳細情報が表示される形態について説明するための図である。
【０１６６】
まず、図２２（ａ）のように、レシピー結果領域から一つのレシピー２２１０が選択されると、図２２（ｂ）のように、選択されたレシピーの詳細情報を含むポップアップウィンドウ２２２０が表示されるとよい。レシピーの詳細情報がポップアップウィンドウ２２２０内に収まりきらない場合は、タッチ＆ドラッグ入力を通じて上下にスクロール可能であり、現在表示される部分が内容全体のどの部分に相当するかを表すスクロールバー２２３０がさらに表示されてもよい。一方、図示してはいないが、選択されたレシピーに必要であるが、貯蔵物情報には存在しない材料は、自動的にショッピングリストに追加されてもよい。
【０１６７】
貯蔵物選択領域に表示されるアイコンは、他のメニューに移動し、または削除されてもよい。これについて、図２３を参照して説明する。
【０１６８】
図２３は、本発明の一実施例に係る冷蔵庫のディスプレイ部に表示される貯蔵物アイコンを移動させ、または削除する方法の一例について説明するための図である。
【０１６９】
図２３（ａ）のように、使用者は、レシピーメニューで右側に表示される貯蔵物選択領域に表示されるアイコン２３１０を活性化した後に、下段のショッピングリストボタン２３２０やゴミ箱２３３０にドラッグすることができる。アイコン２３１０がショッピングリストボタンにドラッグされると、当該アイコンに対応する貯蔵物が後述するショッピングリストに追加され、ゴミ箱にドラッグされると、当該貯蔵物の情報が削除される。
【０１７０】
また、図２３（ｂ）のように、材料領域に表示されるアイコン２３４０は、該アイコンをタッチすることによって材料領域から削除することができる。この場合は、当該アイコンが材料領域のみから消え、その貯蔵物情報は維持されるとよい。
【０１７１】
一方、使用者は、材料領域に追加されたアイコンにかかわらず、レシピーを検索することができる。これについて、図２４を参照して説明する。
【０１７２】
図２４は、本発明の一実施例に係る冷蔵庫のディスプレイ部でレシピーを検索する方法の一例について説明するための図である。
【０１７３】
図２４（ａ）に示すように、レシピーメニューの下段には、テーマ別料理アイコン２４１０、材料別料理アイコン２４２０及びオーブン料理アイコン２４３０がそれぞれ配置されている。ここで、テーマ別料理アイコン２４１０が選択されると、図２４（ｂ）のように、上段には、テーマ選択領域２４４０が配置され、下段には、選択されたテーマに属する下位テーマリスト２４５０が配置されたポップアップウィンドウが表示されるとよい。また、材料別料理アイコン２４２０が選択されると、図２４（ｃ）のように、上段には、材料選択領域２４６０が配置され、下段には、選択された材料の下位概念リスト２４７０が配置されたポップアップウィンドウが表示されるとよい。オーブン料理アイコン２４３０が選択されると、図２４（ｄ）のように、上段には、調理モード選択領域が配置され、下段には、選択されたモードの下位調理モードリストが配置されたポップアップウィンドウが表示されるとよい。
【０１７４】
次に、検索されたレシピーの詳細情報を確認する方法について、図２５を参照して説明する。
【０１７５】
図２５は、本発明の一実施例に係る冷蔵庫のディスプレイ部で検索されたレシピーの詳細情報を確認する方法の一例について説明するための図である。
【０１７６】
図２５（ａ）は、図２４（ｂ）の後続過程であると仮定する。テーマ別レシピーが選択された場合に、図２５（ａ）のように、上段には、テーマ選択領域が配置され、下段には、選択されたテーマに属する下位テーマリストが配置されたポップアップウィンドウが表示されることは、前述した通りである。このとき、使用者が下位テーマリストから毎日のオカズ２５１０を選択すると、図２５（ｂ）のように、毎日のオカズに属するレシピーのリストが表示される。ここで、豆腐煮２５２０が選択されると、図２５（ｃ）のように、豆腐煮レシピーの詳細情報を含むポップアップウィンドウ２５３０が表示されるとよい。レシピーの詳細情報がポップアップウィンドウ２５３０内に収まりきらない場合は、タッチ＆ドラッグ入力を通じて上下にスクロール可能であり、現在表示される部分が内容全体のどの部分に相当するかを表すスクロールバー２５４０をさらに表示してもよい。
【０１７７】
次に、図２６を参照してレシピーメニューから食品管理メニューへの移動について説明する。
図２６は、本発明の一実施例に係る冷蔵庫のディスプレイ部でレシピーメニューが表示される時に、食品管理メニューを開く方法の一例について説明するための図である。
【０１７８】
まず、図２６（ａ）のように、レシピーメニューの下段における食品管理ボタン２６１０を選択することによって、図２６（ｂ）のように食品管理メニューの初期画面を表示することができる。
【０１７９】
［ショッピングリスト］
以下では、図２７を参照してショッピングリストメニューについて説明する。
【０１８０】
図２７は、本発明の一実施例に係る冷蔵庫のディスプレイ部に表示されるショッピングリストメニュー初期画面の一例を示す図である。
【０１８１】
ショッピングリストメニューは、食品管理メニューやレシピーメニューでショッピングリストに追加した貯蔵物の情報を確認／修正／削除するための機能であり、図６を参照して上述した初期画面において下段部６４０のショッピングリストアイコン６４３を選択することによって開くことができる。
【０１８２】
ショッピングリストメニューを開くことによって、初期画面において、図２７（ａ）のように、タッチスクリーン２４１にはショッピングリストメニューへと画面が切り替わって表示される。より詳細には、ショッピングリスト初期メニューの中段には、ショッピングリストに保存されている貯蔵物のアイコン２７１０と、各アイコンの右側に設けられたチェックボックス２７２０を表示することができる。下段には、ショッピングリストを外部装置に伝送するための「送る」ボタン２７３０、及び外部装置からショッピングリストを取得するための「開く」ボタン２７４０が配置される。また、図２７（ｂ）のように、下段の「全体選択／解除」ボタン２７５０が選択されると、ショッピングリストに含まれているあらゆる貯蔵物が選択され、各アイコンの右側に位置しているチェックボックスが全てチェックされる。この時、再び「全体選択／解除」ボタン２７５０が選択されると、全てのチェックボックスのチェック状態が解除される構成としてもよい。また、使用者がショッピングリストに含まれている貯蔵物の全体または一部を削除しようとする場合、図２７（ｃ）のように、削除を希望する貯蔵物に対応するチェックボックスを選択した後、下段の「ゴミ箱」ボタン２７６０を選択することで、選択された貯蔵物が削除されてもよい。
【０１８３】
［ウィジェット］
以下では、図２８乃至図３０を参照してウィジェット機能について説明する。
【０１８４】
ウィジェットとは、ウェブブラウザを介さずに天気、カレンダー、計算機などの機能を直接利用できるようにしたミニアプリケーションのことをいう。本発明に係るウィジェットは、図６を参照して説明した通り、初期画面の中段に表示され、左右にスクロール可能な３つの画面に分けて配置されるものとする。
【０１８５】
図２８は、本発明の一実施例に係る冷蔵庫のディスプレイ部に表示されるウィジェットの構成の一例を示す図である。
【０１８６】
まず、図２８（ａ）は、３画面分のウィジェットのうち最も左側に位置するウィジェットが表示されている状態を示す。画面の上段には、現在表示されているウィジェットが３画面のうちどの画面であるかを表すページインジケータ２８１０が表示される。ページインジケータ２８１０は、各画面の個数に対応する点を有し、現在表示される画面に該当する点に、他の点と視覚的に区別される視覚効果が付与される。最も左側の画面には、後述するメモ機能により作成されたメモを表示するメモウィジェット２８２０と、予め設定された地域の天気を示す天気ウィジェット２８３０が表示されるとよい。
【０１８７】
左側画面が表示されている状態で使用者が中央画面へと画面をスクロールしたい場合は、左側方向にフリッキングタッチを入力すると、タッチスクリーン上には左側画面が左側へ移動しながら中央画面が右側から登場する。これにより、図２８（ｂ）のように、ページインジケータ２８１０は、中央画面が表示されることを表すために中央の点に視覚効果が付与される。中央画面の左側には所定単位（例えば、１ヵ月単位）で日程を表示するためのカレンダーウィジェット２８４０が表示され、右側には保管期限に迫った貯蔵物のアイコンを表示する保管期限お知らせウィジェット２８５０が表示可能である。
【０１８８】
中央画面が表示されている状態で使用者が再び左側方向にフリッキングタッチを入力すると、タッチスクリーン上には、中央画面が左側へ移動しながら右側画面が右側から登場する。これにより、図２８（ｃ）のように、ページインジケータは右側画面が表示されることを表すために、右側の点に視覚効果が付与される。右側画面の左側には、保管中の貯蔵物を材料とするレシピーをランダムに表示する推薦レシピーウィジェット２８６０が表示され、右側には冷蔵庫機能の動作状態を表す冷蔵庫管理ウィジェット２８７０が表示される。右側画面の表示されている状態で中央画面や左側画面のウィジェットを確認しようとする場合は、使用者は右側方向にフリッキングタッチを入力すればよい。
【０１８９】
次に、天気ウィジェットの地域を設定する方法について、図２９を参照して説明する。
【０１９０】
図２９は、本発明の一実施例に係る冷蔵庫のディスプレイ部に表示される天気ウィジェットの地域を設定する方法の一例を示す図である。
【０１９１】
まず、初期画面において天気ウィジェットをタッチで選択すると、図２９（ａ）のように、現在の天気、気温、現在地域及び週間予報などを含む詳細な天気情報を表示することが可能である。ここで、異なる色を付与することで、現在表示される天気がどの地域の天気であるかを表す地図の右側に配置された地域設定ボタン２９１０が選択されると、図２９（ｂ）のように、地域設定のためのポップアップウィンドウ２９２０が表示される。ポップアップウィンドウ２９２０内に地域目録が収まりきらないときは、ドラッグ／フリッキング入力によって地域目録が上下にスクロールするようにすればよい。地域目録からソウル・京畿が選択された場合に、図２９（ｃ）のように、下位地域目録を含むポップアップウィンドウ２９４０が表示される。ここで、地域を特定すると、地域の設定が完了し、図２９（ｄ）のように、当該地域の天気を外部サーバーから受信していることを表すポップアップウィンドウ２９５０が表示されるとよい。
【０１９２】
その後、天気ウィジェットは、変更された地域の天気を表す。
【０１９３】
次に、保管期限お知らせウィジェットについて、図３０を参照してより詳細に説明する。
【０１９４】
図３０は、本発明の一実施例に係る冷蔵庫のディスプレイ部に表示される保管期限お知らせウィジェットが用いられる形態の一例を示す図である。
【０１９５】
まず、初期画面において使用者が保管期限お知らせウィジェットをタッチで選択すると、図３０のように、保管期限の満了が迫った貯蔵物のアイコン３０１０が表示される。ここに表示されるアイコンは、下段のレシピーメニュー３０２０にドラッグすることで、レシピーメニューの材料領域に追加可能である。また、下段のショッピングリストメニュー３０３０にドラッグすることで、ショッピングリストメニューに追加可能である。
【０１９６】
［冷蔵庫管理］
ディスプレイ部２４１の下段に設けられる複数個のメニューアイコンのうち冷蔵庫管理アイコン６４５（図６参照）をタッチすると、図３１のような冷蔵庫管理初期画面３１０１が表示される。
冷蔵庫管理メニューは総数６個で構成される。即ち、冷凍室温度設定ボタン３１１１、冷蔵室温度設定ボタン３１１２、冷凍室の冷凍速度を上げることができる特急冷凍設定ボタン３１１３、特冷室運転設定ボタン３１１４、フィルター装置設定ボタン３１１５、及びスマート節電動作ボタン３１１６とそれぞれ関連するメニューを備える。
【０１９７】
［温度調節］
ここで、冷凍室及び冷蔵室の温度調節ボタン３１１１，３１１２は、温度を調節できるタッチボタンと、現在の冷凍室と冷蔵室の温度を示すウィンドウとで構成される。
【０１９８】
特急冷凍設定ボタン３１１３、特冷室運転設定ボタン３１１４、及びスマート節電動作ボタン３１１６は、「動作」または「消」を選択できるタッチボタンで構成され、フィルター装置設定ボタン３１１５は、自動的に動作する「自動」ボタンと、その動作時に除菌性能を向上させることができる「パワー」ボタンと、「消」ボタンとを備える。
【０１９９】
ここで、冷蔵庫管理初期画面３１０１上には、本発明に係る冷凍室と冷蔵室が完全に開放される仮想冷蔵庫が表示され、その仮想画面上には冷凍室と冷蔵室に設けられる特冷室、フィルター装置などの位置が表示される。
【０２００】
仮想冷蔵庫の形状の周囲には、上記６個のメニューに関連するボタンが配置されており、使用者がこれらのボタンをタッチすることによって冷蔵庫の運転を操作することができる。
【０２０１】
ここで、各ボタンはタッチボタンで構成され、これらのタッチボタンは静電方式スイッチで、機構的な動作が無くても、定められた距離に近接した身体や静電気を保有している物体に反応して動作することができる。
【０２０２】
図３２に示すように、使用者が冷凍室または冷蔵室の温度調節をするためには、冷凍室の温度調節ボタン３１１１または冷蔵室の温度調節ボタン３１１２を操作すればよい。
【０２０３】
ここで、温度調節ボタン３１１１，３１１２は、温度調節が可能なように昇温ボタンと降温ボタンとが設けられる。
【０２０４】
ボタンを押して温度調節する度に冷凍室温度状態窓３１１１ａまたは冷蔵室温度状態窓３１１２ａに表示される温度の数字の表示及び温度計の目盛りの表示が変わる。
【０２０５】
冷凍室または冷蔵室の温度調節は、冷気ダンパーの開閉動作、圧縮器の運転率変化、冷気ファンのｏｎ／ｏｆｆまたは冷気ファンの回転速度変化に従って行われる。
【０２０６】
［特急冷凍運転］
図３３に示すように、冷蔵庫管理初期画面において特急冷凍設定ボタン３１１３の「動作」ボタンをタッチすると、冷蔵庫仮想画面上の冷凍室Ｆ全体の色が活性化され、制御部は、実際の冷凍室５（図１参照）内部の冷凍が一般モードに比べて高速で行われるように制御する。
【０２０７】
即ち、冷凍室の目標温度までの到達時間が、一般運転モードに比べて短いということを意味し、これは、冷気ファンの回転速度などを増加させながら行われることが好ましい。
【０２０８】
一方、特急冷凍設定ボタン３１１３の「動作」ボタンを押して一定時間が経過すると、仮想冷蔵庫の冷凍室Ｆのウィンドウが自動的に消えてもよい。
【０２０９】
一定時間が経過する前に特急冷凍設定ボタン３１１３における「消」ボタンを押すと、特急冷凍運転が終了し、一般冷凍運転モードに入る。
【０２１０】
［特冷室の運転］
図３４に示すように、使用者が特冷室設定ボタン３１１４における「動作」ボタンを押すと、仮想冷蔵庫上の特冷室ＳＦ部分の色が活性化される。
【０２１１】
この特冷室は、肉類などの食品を最適の条件で保管するために、貯蔵温度が冷凍室の温度よりも低く設定され、冷凍速度も相対的に速い特別な冷凍室のことを指す。
【０２１２】
図３３に開示される特急冷凍は、冷凍室全体を高速で冷凍させることを意味し、これは一度に多くの冷凍品を投入する時に用いられる。
【０２１３】
そのため、このような特急冷凍がなされる場合に、圧縮器及び冷気ファンは通常の冷凍運転時に比べてより長く運転を行う。
【０２１４】
一方、図３４に開示される特冷室は、冷凍室に別途設けられる貯蔵空間のことを意味し、特冷室運転は、この貯蔵空間に冷気を集中供給することを意味する。
【０２１５】
図３３の状況より相対的に少ない量の肉類や魚を特冷室に入れて特急冷凍させる必要がある場合に、この特冷室運転を行えばよい。
【０２１６】
そのためには、特冷室につながるダクト方向に冷気を集中供給させる冷気ファン（図示せず）または冷気ダンパー（図示せず）の運転が必要となる。
【０２１７】
［フィルター装置の運転］
図３５Ａ乃至図３５Ｃは、フィルター装置２９５（図１参照）の動作に関連する表示状態を示す図である。
【０２１８】
図３５Ａ乃至図３５Ｃでは除菌フィルターと記載されているが、フィルター装置の権利範囲や機能が除菌フィルターという記載に限定されるものではない。
【０２１９】
本発明に係るフィルター装置２９５は、冷蔵庫内部のウイルスやバクテリアなどを除去する除菌機能、及び臭気を除去する脱臭機能を果たすことが好ましい。
【０２２０】
図３５Ａ及び図３５Ｂに示すように、フィルター装置設定ボタン３１１５において「自動」ボタンや「パワー」ボタンをタッチすると、ディスプレイ２４１上で仮想冷蔵室Ｒの色が活性化される。
【０２２１】
これと同時に、本体における冷蔵室６（図１参照）に設けられるフィルター装置２９５も動作して、冷蔵室６の内部の空気をフィルタリングする。
【０２２２】
一方、冷蔵室６のフィルター装置の周囲には、照明装置２９６（図１参照）が設けられるが、「自動」ボタンや「パワー」ボタンをタッチすると、フィルター装置２９５が動作しながら照明装置２９６もオンになる。
【０２２３】
ここで、「自動」ボタンタッチ時のフィルター装置２９５の運転と「パワー」ボタンタッチ時のフィルター装置２９５の運転は、基本的に同一である。
【０２２４】
ただし、「パワー」ボタンタッチ時に、フィルター装置２９５を構成するファンユニット２９５ｂ（図１参照）の回転速度及び運転時間が増加するという点が異なる。
【０２２５】
そして、図３５Ｃに示すように、「消」ボタンをタッチすると、フィルター装置２９５（図１参照）の動作が止まり、活性化された仮想冷蔵室Ｒの部分の色もそれ以上活性化されない。
【０２２６】
図３６に示すように、フィルター装置２９５（図１参照）を構成するフィルターユニット２９５ａ（図１参照）の寿命が尽き、交換する必要がある場合に、ディスプレイ部２４１の仮想冷蔵庫の冷蔵室Ｒには、「交換」ボタン３６０１がポップアップする。
【０２２７】
そのため、「交換」ボタン３６０１がポップアップすると、使用者または修理技術者がフィルターユニット２９５ａを交換することができる。
【０２２８】
「交換」ボタン３６０１を所定時間（例えば、５秒間）押すと、「交換」ボタン３６０１は消えるようにしてもよい。
【０２２９】
［節電命令］
図３７乃至図４０は、冷蔵庫運転時に消費される電力を低減するための節電命令がなされる様子を示す図である。
【０２３０】
図３７に示すように、仮想冷蔵庫の下段に備えられる節電運転ボタン３１１６において「設定」ボタンをタッチすると、節電モードを選択できる節電モード選択ポップアップウィンドウ３７０１が開く。
【０２３１】
図３７のポップアップウィンドウ３７０１に表示される節電モードには、深夜節電モード、使用者節電モード、自動節電モードがある。
【０２３２】
図３８に示すように、使用者が節電モード選択ポップアップウィンドウ３７０１で「深夜節電モード」３８０１を選択し、確認ボタン３８０２をタッチすると、深夜節電機能が実行される。
深夜節電機能とは、定められた深夜時間帯（例えば、０時〜４時）に冷蔵庫の動作を最小限とすることで、消費される電力量を最小化することを指す。
【０２３３】
深夜時間帯には、使用者の就寝などにより冷蔵庫の使用頻度数が顕著に減るのが一般的である。
【０２３４】
そのため、深夜時間帯では、圧縮器の運転率、冷気ファンの動作、または除霜ヒーターの動作を、通常運転モード時よりも低減することで、電力の消費を抑制する。
【０２３５】
例えば、深夜時間帯以外の昼間または夜間時間に使用者が貯蔵室のドアを開閉すると、貯蔵室内部の温度が上がり、このような温度の上昇は負荷として作用する。
【０２３６】
このような負荷の影響を減らすために、圧縮器を動作させたり、冷気ファンを動作させたりして冷気を直ちに供給する。
【０２３７】
しかし、深夜時間帯での節電モードが選択されると、冷蔵室５（図１参照）または冷凍室６（図２参照）内部の設定温度範囲の上限を越えない限り、冷蔵室や冷凍室に温度上昇があっても圧縮器や冷気ファンは直ちには動作しない。
【０２３８】
ただし、冷蔵室または冷凍室の内部設定温度範囲の上限に達すると、圧縮器または冷気ファンが動作する。
【０２３９】
このように、深夜時間帯では、即座の負荷対応動作が省かれるので、負荷対応動作により消費される電力を節約することが可能になる。
【０２４０】
一方、図３８に示すように、使用者が深夜節電モード３８０１を選択すると、冷蔵庫管理初期画面３１０１では「深夜節電」という語句３８１０が表示され、深夜節電中であることを使用者に知らせる。
【０２４１】
図３９Ａ及び図３９Ｂは、使用者が選択した時間帯で節電運転がなされるように命令する使用者節電モードを選択した例を示している。
【０２４２】
図３９Ａに示すように、使用者が節電モード選択ウィンドウで「使用者節電」３９０１を選択し、節電のための時間帯を設定するための「時間変更」ボタン３９０２をタッチすると、時間設定のための時間設定ウィンドウ３９１０がポップアップする。
【０２４３】
時間設定ウィンドウ３９１０で使用者は節電時間を１つの区間に設定してもよく、複数の区間に設定してもよい。
【０２４４】
ここで、設定された時間帯は、使用者が冷蔵庫をあまり使用しない時間、例えば、外出時、出勤から退勤までの間の時間に設定するのが好ましい。
【０２４５】
図３９Ｂに示すように、時間設定をして「確認」ボタン３９１１をタッチすると、冷蔵庫管理初期画面に「使用者節電」という語句３９２０が表示される。
この場合も同様に、使用者設定時間帯では、圧縮器の運転率や冷気ファンの動作性能を下げる等して、貯蔵室の設定温度範囲を超えない限度内で最小限の電力が消費されるようにする運転モードを行う。
【０２４６】
図４０では、節電モード選択ウィンドウから自動節電が選択された例を示す図である。
【０２４７】
図４０に示すように、使用者が「自動節電」オプション４００１を選択すると、自動節電に関する簡単な説明と、「電力状況及び料金情報」ボタン４００２が表示される。
【０２４８】
自動節電とは、冷蔵庫と通信可能なサーバーで電気料金の高い時間帯を認識し、この情報を冷蔵庫に送信し、この情報に基づいて冷蔵庫が節電運転をすることを指す。
【０２４９】
即ち、電気料金が、季節及び時間帯によらずに課される定額料金制から、季節及び時間帯に従って変動する変動料金制に移って行くトレンドに対応して、冷蔵庫にも変動料金制を反映させるために備えられた節電機能である。
【０２５０】
自動節電モードで運転中の場合は、図４０に示すように、冷蔵庫管理メイン設定ウィンドウに「自動節電」という語句４０１０が表示される。
【０２５１】
［日程管理］
図４１は、ディスプレイ部に表示されるメインメニューにおいて「日程」ボタン６４６（図６参照）をタッチした時に日程が表示される例を示している。
【０２５２】
「日程」ボタン６４６をタッチした場合に、日程基本画面４１０１は、カレンダーのように、月単位で表示され、画面をタッチした状態で上下に動かすと、前の月または次の月に移動することができる。
【０２５３】
特に、今日（同図では２０１１年２月２７日）は、他の日付と区別がつくように、目立つ色で表示される。
【０２５４】
日程基本画面４１０１が開いた状態で使用者が新しい日程を追加したい場合は、まず、図４２に示すように、日程基本画面において新しい日程に関連する該当日Ｄをタッチする（順序（１））。
【０２５５】
該当日Ｄをタッチすると、該当日の時間が時間帯別に表示された日程入力ウィンドウ４２１０が開く。
【０２５６】
使用者は、日程入力ウィンドウ４２１０をタッチして上下すると、日程入力ウィンドウ４２１０が上下に移動しながら他の時間帯を表示する（順序（２））。
【０２５７】
そして、日程入力ウィンドウ４２１０で特定時間帯をタッチすると（順序（３））、図４３のような日程細部情報入力ウィンドウ４３０１が開く。
【０２５８】
ただし、図４２で、「新しい日程」ボタン４２０２をタッチしても、日程入力ウィンドウが開く。
【０２５９】
図４３に示すように、日程細部情報入力ウィンドウ４３０１において、日程名、内容を入力する（順序（１））。
【０２６０】
ここで、該当の領域をタッチすると、文字を入力できる文字入力ウィンドウが開く構成とすることが好ましい。
【０２６１】
次に、日程の開始日、終了日及び時間を設定する（順序（２））。
【０２６２】
そして、日程の場所を入力する必要がある場合は、タッチした状態で下方にドラッグする。
【０２６３】
すると、「場所」入力のための入力ウィンドウが開き、該入力ウィンドウをタッチすると、文字入力ウィンドウが表示される。この文字入力ウィンドウを用いて場所を入力する（順序（４））。
【０２６４】
一方、この状態で当該日程の詳細な説明が必要である場合は、「説明」を入力するための入力ウィンドウをタッチし、詳細な説明を入力する（順序（５））。
【０２６５】
なお、日程の特性によっては、１回のみ、毎日、１週（月−金）、毎週（該当曜日）、毎月（最初の週）、毎月（該当日）、毎年（該当日）の設定ができるが、これは「反復」と表示された部分の下側のウィンドウをタッチして設定することができる（順序（６））。
【０２６６】
図４４Ａ及び図４４Ｂは、ディスプレイ部２４１で既に入力された日程を修正または削除する過程を示す図である。
【０２６７】
図４４Ａに示すように、日程基本画面４１０１上で日程が入力された日には検索のための図形４４０１が表示されている。
【０２６８】
使用者は、日程基本画面４１０１をタッチして上下させながら、日程を変更する日を検索することができる。
【０２６９】
この状態で日程を変更する日Ｄをタッチすると、図４４Ａに示すように、日程の記録されている日程入力ウィンドウ４２１０が開く。
【０２７０】
この状態で、図４４Ｂに示すように、日程入力ウィンドウ４２１０の上段に表示されている「日程確認」ボタン４４１０をタッチすると、日程入力ウィンドウ４２１０の下段に日程修正ボタン４４１１と日程削除ボタン４４１２が表示される。
【０２７１】
使用者が日程修正ボタン４４１１をタッチすると、図４３に示す日程細部情報入力ウィンドウ４３０１がポップアップされ、日程細部情報入力ウィンドウ４３０１で日程を修正することができる（順序（１））。
【０２７２】
一方、使用者が日程削除ボタン４４１２をタッチすることで、該当の日程を削除することができる（順序（２））。
【０２７３】
図４５乃至図４６Ｃは、速い日程登録がディスプレイ部２４１でなされる例を示す図である。
【０２７４】
図４５に示すように、日程基本画面４１０１で日程確認ボタン４４１０をタッチすると、下段部に、日程目録ボタン、日単位検索ボタン、週単位検索ボタン、新しい日程入力ボタン、今日の日程検索ボタン、及び「環境設定」ボタンがポップアップする。
【０２７５】
この状態で、日程目録ボタン４５０１を選択してタッチすると（順序（１））、図４６Ａに示すように、所定日付以降の日程リスト４６０１がポップアップする。
【０２７６】
一方、図４５で、日単位検索ボタン４５０２をタッチすると（順序（２））、図４６Ｂに示すように、日単位日程入力ウィンドウ４２１０が表示され、日単位日程検索が可能になる。
【０２７７】
この状態で使用者がタッチを維持して上下に動かすと、特定日の時間帯別検索が可能となり、タッチを維持した状態で左右に動かすと、日付が変わりながら変わった日の時間帯日程検索が可能となる。
【０２７８】
一方、図４５で、週単位検索ボタン４５０３を選択してタッチすると（順序（３））、図４６Ｃに示すように、週単位日程検索が可能となる。
【０２７９】
ここで、横方向には一週を構成する７日が表示され、上下方向には各日の時間帯が表示される。
【０２８０】
この状態で使用者がタッチを維持して上下に動かすと、特定週に含まれた各日付の時間帯別検索が可能であり、タッチを維持した状態で左右に動かすと、週が変わりながら変わった週における各日付の時間帯別日程検索が可能となる。
【０２８１】
［メモ管理］
図４７乃至図５２は、使用者のメモがディスプレイ部２４１で処理される例を示す図である。
【０２８２】
ディスプレイ部２４１のメインメニューにおいてメモボタン６４７（図６参照）をタッチすると、図４７のようにメモ初期画面４７０１が開く。
【０２８３】
図４８Ａに示すように、メモ初期画面４７０１でメモ入力ウィンドウ４８０１をタッチすると、テキスト入力画面４８１０に切り替わる。
【０２８４】
テキスト入力画面４８１０においてキーボード４８１１を介して内容を入力し、完了ボタン４８１２をタッチすると、図４８Ｂに示すように、再びメモ初期画面４７０１に切り替わり、メモ入力ウィンドウ４８０１には、テキスト入力画面４８１０で入力された文言が表示される。
【０２８５】
使用者がメモを確認し、異常がないと判断した場合は、メモ入力ウィンドウの側部にある「メモ保存」ボタン４８２０をタッチすると、メモが保存され、メモ保存確認ウィンドウ４８３０が表示される。
【０２８６】
図４９Ａ及び図４９Ｂは、キーボード入力ではなく、絵または手書きメモを入力する例を示す図である。
【０２８７】
図４９Ａに示すように、メモ初期画面４７０１の右側に設けられる「描画」ボタン４９０１をタッチすると、描画メモ画面４９１０に切り替わる。
【０２８８】
使用者は、描画メモ画面４９１０をタッチしてメモすることができる。
【０２８９】
ここで、使用者は点線で表示されたボックス４９１１内でメモすればよく（ａ）、線太さ設定ボタン４９１２をタッチして線の太さを設定でき（ｂ）、消ゴムボタン４９１３を押して、描かれたメモを消す機能を選択することもできる（ｃ）。
【０２９０】
そして、色選択ボタン４９１４をタッチして、線色を決定することができ（ｄ）、描かれたメモを一度で消したい時は、初期化ボタン４９１５をタッチして、既に描かれた全てのメモを削除することもできる（ｅ）。
【０２９１】
そして、メモ描画が完了すると、「保存」ボタン４９１６をタッチして保存してもよく（ｆ）、「取消」ボタン４９１７をタッチして、既に描かれたメモを取り消してもよい（ｇ）。
【０２９２】
即ち、図４９Ｂに示すように、メモ描画が完成すると、「保存」ボタン４９１６を押して、描かれたメモを保存することができる。
【０２９３】
一方、図５０は、既に描かれたメモを消す過程を示す図で、使用者は、消ゴムボタン４９１３をタッチして、消したい部分Ｐを上、下、左、右にタッチして消すことができる。
【０２９４】
図５１Ａ及び図５１Ｂは、不必要なメモを削除する過程を示す図である。
【０２９５】
図５１Ａに示すように、保存されたメモは、メモ初期画面４７０１に仮想ポストイット形態のメモ表示ウィンドウ５１０１で表示される。
【０２９６】
この状態で、不必要なメモを選択し、「ゴミ箱」ボタン５１０２をタッチすると、メモを削除するか否かを再確認するポップアップウィンドウ５１１０が開く。
【０２９７】
この状態で「削除」ボタン５１１１をタッチすると、図５１Ｂに示すように、メモ削除を確認させるポップアップウィンドウ５１２０が開き、これで不必要なメモの削除過程が完了する。
【０２９８】
図５２Ａ及び図５２Ｂは、メモをディスプレイ部２４１の背景画面に保存する例であり、これにより、保存されたメモを背景画面のウィジェットに表示させることができる。
【０２９９】
図５２Ａに示すように、メモ初期画面４７０１に表示された特定メモ表示ウィンドウ５１０１を選択し（順序（１））、メモ初期画面の下段部に表示された「バックグラウンド画面へ保存」ボタン５１０２をタッチする（順序（２））。
【０３００】
この場合、選択されたメモの上段部にホーム表示がされ、選択されたメモの色が変わる。
【０３０１】
そして、メモ初期画面の上段部に表示されるホームボタン５１１１をタッチすると（順序（３））、図５２Ｂに示すように、背景画面のウィジェットに、選択されたメモ表示ウィンドウ５１０１に記録されたメモの内容を表示させることが可能になる。
【０３０２】
図５３Ａは、ディスプレイ部２４１の環境設定のための環境設定メイン画面を示す図である。環境設定メイン画面は、図６に示すメインメニューにおいて「環境設定」ボタンをタッチすることでディスプレイ部２４１に開く。
【０３０３】
ここで、環境設定メイン画面５３０１では、総数８個の下位メニューが表示される。
【０３０４】
例えば、画面明るさ設定ボタン５３１１と、ボリューム設定ボタン５３１２、無線ネットワーク設定ボタン５３１３、アップデートボタン５３１４、画面設定ボタン５３１５、日付／時間設定ボタン５３１６、スマート診断ボタン５３１７、及び使用者登録／初期化設定ボタン５３１８などのメニューを含む。
【０３０５】
ここで、画面明るさ設定ボタン５３１１をタッチすると、図５３Ｂで示すように、画面明るさ設定ポップアップウィンドウ５３２０が開く。
【０３０６】
画面明るさ設定ポップアップウィンドウ５３２０では、画面明るさの調節のためのスクロールバー５３２１が表示され、使用者は、スクロールバー５３２１を左右に移動させて所望の明るさを設定し、「確認」ボタン５３２２をタッチすることで、画面明るさの設定が完了する。
【０３０７】
図５４Ａは、ボリュームを設定する過程を示す図である。
【０３０８】
図５３Ａで、ボリューム設定ボタン５３１２をタッチすると、図５４Ａのようなボリューム設定のためのボリューム設定ポップアップウィンドウ５４１０が開き、ボリューム設定ポップアップウィンドウ５４１０にはボリュームの強弱を調節するためのスクロールバー５４１１が表示される。
【０３０９】
使用者は、スクロールバー５４１１を左右に移動させてボリュームの強弱を調節し、確認ボタン５４１２をタッチしてボリューム調節を完了する。
【０３１０】
［無線ネットワークの設定］
図５５Ａは、無線ネットワーク設定画面５４２０を示す図である。使用者が、図５３Ａで、無線ネットワーク設定ボタン５３１３をタッチすると、無線ネットワーク設定画面５４２０がディスプレイ部２４１に表示される。
【０３１１】
本実施例では無線ネットワークとしてＷｉ−Ｆｉシステムを用いるとしたが、これに限定されるものではない。
【０３１２】
使用者が、無線ネットワークの設定のために、図５５Ｂに示すように、「Ｗｉ−Ｆｉ設定」ボックスボタン５４２１をｏｎ／ｏｆｆタッチして選択することができる。
【０３１３】
図５５Ｂ乃至図５５Ｃ、及び図５６では、無線ネットワークの接続方法の具体的な過程が示されている。
【０３１４】
図５５Ｂに示すように、使用者または作業者が実使用のための無線ネットワークを選択してタッチをすると（順序（１））、図５５Ｂに示すように、接続のための無線パスワードポップアップウィンドウが表示される（ここで、Ｕ＋Ｎｅｔ９７Ａ３は無線共有器識別番号である）。
【０３１５】
この時、無線パスワードポップアップウィンドウにパスワードを入力する（無線共有器パスワード設定の場合）（順序（２））。
【０３１６】
そして、パスワード入力が完了すると、「設定」ボタンをタッチすることで（順序（３））、図５６のように無線ネットワーク接続が完了する。
【０３１７】
図５７は、無線パスワードキーボードを示す図であり、無線パスワードキーボードは、ひら仮名／アルファベット／数字へと切り替え可能である。図５７に示す切替キー及び特殊機能キーを用いて様々な形態のパスワードを設定することができる。
【０３１８】
［情報アップデート］
図５８Ａ及び図５８Ｂは、ファームウェアまたはレシピーなどの情報をアップデートするための使用者登録確認過程を示す図である。
【０３１９】
図５８Ａに示すように、環境設定初期画面において「使用者登録／初期化」ボタンをタッチすると、使用者未登録の場合に、使用者登録及び初期化ポップアップウィンドウが表示される。
【０３２０】
使用者が購買時に割り当てられたＩＤとパスワード、またはメーカーのホームページを介して入力したＩＤとパスワードを、使用者登録及び初期化ポップアップウィンドウに入力し、「新規登録」ボタンをタッチすることで使用者登録ができる。
【０３２１】
一方、使用者が既に登録されている場合は、図５８Ｂのような画面が表示され、その画面上には使用者のＩＤと登録日時が表示される。
【０３２２】
この状態で使用者変更をする必要があるときは、「使用者変更」ボタンをタッチして使用者変更を行い、使用者情報初期化をする必要があるときは、「使用者情報初期化」ボタンをタッチすればよい。
【０３２３】
図５９Ａは、ファームウェアやレシピー情報がディスプレイ部上でアップデートされる例を示す図である。
【０３２４】
使用者登録の確認が完了した後に、図５９Ａに示すように、使用者が環境設定初期画面５３０１において「アップデート」ボタン５３１４をタッチすると、図５９Ｂに示すように、現在のソフトウェアが最新バージョンであるか否かを確認するバージョン確認ポップアップウィンドウ５９２０が表示される。
【０３２５】
確認が完了すると、図５９Ｂに示すように、アップデート確認ポップアップウィンドウ５９３０が表示され、アップデート確認ポップアップウィンドウ５９３０には、ファームウェア及びレシピーの現在のバージョン及びアップデートすべき項目があるか否かが表示される。
【０３２６】
この状態でファームウェアをアップデートする必要があるときは、図６０に示すように「ネットワーク」ボタン５９３１をタッチする。
【０３２７】
この場合、アップデート進行ポップアップウィンドウが表示させながら、無線ネットワークを介したアップデートが進行し、アップデート後には自動的に再起動がなされる。
【０３２８】
一方、ネットワークではなくＳＤメモリカードを用いてファームウェアをアップデートするためには、アップデートされたファームウェアが格納されているＳＤメモリカードを挿入スロット２４５（図４参照）に挿入し、ＳＤカードボタン５９３２をタッチすることでファームウェアをアップデートすることができる。
【０３２９】
このときも同様に、アップデートが完了すると自動的に再起動がなされる。
【０３３０】
一方、アップデート確認ポップアップウィンドウ５９３０でレシピーをアップデートする項目があると表示される場合に、使用者は、図６１に示すように、レシピーアップデートに関連する「ネットワーク」ボタン５９３３をタッチする。
【０３３１】
このとき、「ネットワーク」ボタン５９３３をタッチすると、図６１に示すように、アップデート進行ポップアップウィンドウ６１２０が表示され、アップデートが完了すると、図５３Ａのような環境設定初期画面に復帰する。
【０３３２】
［画面設定］
一方、画面設定によって節電画面や照明時間を選択することができる。このように、画面設定をするためには、図６２に示すように、環境設定初期画面５３０１で使用者が「画面設定」ボタン５３１５をタッチすればよい。
【０３３３】
このように画面設定ボタン５３１５をタッチすると、画面設定ポップアップウィンドウ６２２０が表示される。
【０３３４】
画面設定ポップアップウィンドウ６２２０では、「節電画面選択」、「照明時間選択」、そして「自動オン選択」を選択することができる。
【０３３５】
節電画面とは、使用者がディスプレイ部を使用してから所定の照明時間が経過した後に、節電のためにディスプレイ部に表示される画面の状態を指す。
【０３３６】
使用者は、節電画面が、画面が消える場合、画面の照度が低くなる場合、そして時計が表示される場合のいずれか一つになるように選択することができる。
【０３３７】
一方、画面設定ポップアップウィンドウにおいて点線で表示した部分６２２１のように、「自動オン選択」を選択できる。
【０３３８】
これは、使用者が画面をタッチすると自動的にディスプレイ部が明るくなる場合と、画面をタッチし、または冷蔵庫のドアまたは補助貯蔵室（本実施例ではマジックスペースと表現される）を開放するとディスプレイ部が自動的に明るくなる場合を意味する。
【０３３９】
図６３に示すように、使用者が画面設定ポップアップウィンドウで節電画面を選択する時に、「画面が消える」または「画面が暗くなる」を選択すると、設定した照明時間の後に画面が消え、または暗くなり、画面を再度タッチした場合は、画面ロック状態になるため、使用者がタッチをしても当該タッチ命令は実行されない。
【０３４０】
このような画面ロック状態を解除するためには、図６４に示すように、「ロック解除」ボタン６４１０のタッチを維持した状態で上側に指を動かすと、ロック設定前の画面に復帰する。
【０３４１】
ロック設定前の画面に復帰すると、使用者が特定のボタンをタッチすることで当該タッチ結果が再びディスプレイ部に表示されるように構成することができる。
【０３４２】
一方、ディスプレイ部の画面上における日付または時間を設定するためには、図６５に示すように、使用者が環境設定初期画面５３０１で日付／時間ボタン５３１６をタッチする。
【０３４３】
タッチの結果、画面が変わりながら日付／時間設定画面６５２０が表示され、この画面には日付と時間が表示される。
【０３４４】
一方、日付／時間設定画面上でネットワーク提供値使用６５２１を選択すると、無線ネットワークを通じて日付と時間情報を受信してディスプレイ部に反映させる。
【０３４５】
一方、使用者が直接日付または時間を設定する場合は、日付設定領域６５２２または時間設定領域６５２３をタッチする。
【０３４６】
タッチの結果、図６６のような日付設定ポップアップウィンドウ６６１０または時間設定ポップアップウィンドウ６６２０が表示され、これらのポップアップウィンドウに備えられるボタンを用いて日付または時間を設定できる。
【０３４７】
図６７は、環境設定初期画面においてスマート診断をするための過程を示す図である。
【０３４８】
スマート診断とは、冷蔵庫で発生する特定の音を音声信号としてサービスセンターに送信し、当該音声信号によって冷蔵庫の故障の有無を判別できる診断方法である。
【０３４９】
そのために、使用者が環境設定初期画面５３０１でスマート診断ボタン５３１７をタッチすると、スマート診断案内画面６７２０が表示され、スマート診断案内画面６７２０には、使用者が守るべき遵守事項と診断開始ボタン６７２１が表示される。
【０３５０】
スマート診断を用いる方法は、図６８に示すように、まず、ドアを開いて電話機Ｃを本体上端のスピーカー２４２のホールに当てることから始める。
【０３５１】
そして、準備が終わると、「診断開始」ボタン６７２１をタッチすればよいが、診断モードが動作すると、スピーカー２４２のホールから音声信号が出力され、スマート診断案内画面には、診断にかかる残り時間が表示されることが好ましい。
【０３５２】
残り時間が経過すると、音声信号伝送の完了を知らせるメッセージが表示され、自動的に環境設定初期画面に復帰する。
【０３５３】
そして、音声データ信号の伝送完了後に、オペレーターからスマート診断結果に関する応答を聞き、必要な措置を執ることによって、冷蔵庫の異常の有無を判断し、その対策を講じることができる。
【０３５４】
図６９は、環境設定初期画面５３０１で使用者登録を行う過程を示す図である。
【０３５５】
使用者が、環境設定初期画面５３０１に備えられる「使用者登録／初期化」ボタン５３１８をタッチすると、使用者登録及び初期化ポップアップウィンドウ６９２０が表示されて、ポップアップウィンドウに使用者ＩＤ入力ウィンドウ６９２１とパスワード入力ウィンドウ６９２２が表示される。
【０３５６】
使用者ＩＤ入力ウィンドウとパスワード入力ウィンドウには、使用者が、冷蔵庫メーカーが運営するウェブサイトに登録したＩＤとパスワードを入力する。
【０３５７】
続いて、「新規登録」ボタン６９２３をタッチすると、ＩＤとパスワードが正しい場合は、使用者登録が完了し、図７０に示すように、ＩＤ登録日時７００３及び登録されたＩＤ ７００２が表示されたポップアップウィンドウ７００１に変更される。
【０３５８】
一方、使用者情報を初期化する場合に、図７０で表示される「使用者情報初期化」ボタン７００４をタッチすると、初期化再確認お知らせウィンドウが開き、確認を押すと冷蔵庫食品管理データ情報が初期化される。
【０３５９】
そして、この初期化が完了すると、「初期化が完了しました」というメッセージが表示されて使用者に知らせる。
【０３６０】
一方、上述した冷蔵庫のディスプレイ部で表示されるユーザーインターフェースは、無線端末機のタッチスクリーン上に具現化されてもよい。例えば、前述したユーザーインターフェースは、タッチスクリーンを備えている専用リモコンや、冷蔵庫制御のためのアプリケーションが搭載または設置されているスマートフォンで具現化されてもよい。
【０３６１】
以下、図７１乃至図７９を参照して、スマートフォン上でアプリケーションの形態で具現化される冷蔵庫制御のためのユーザーインターフェースの構成について説明する。この場合、スマートフォンは外部と無線で情報を交換できる無線通信部、使用者のタッチ入力を認識するタッチスクリーン、及び入出力される情報を保存するためのメモリを備えることが好ましい。もちろん、スマートフォンは、上述した構成要素よりも多くの構成要素を有していてもよい。以下、スマートフォンを便宜上、「無線端末機」と称する。
【０３６２】
図７１は、本発明の一実施例に係る冷蔵庫制御のためのアプリケーションが無線端末機上で表示される形態の一例を示す図である。
【０３６３】
冷蔵庫制御アプリケーションがスマートフォンにインストールされている場合に、図７１（ａ）のように、背景画面（ホームスクリーン）やメインメニューに、当該アプリケーションのショートカット機能を実行するアイコン７１１０を表示することが可能である。
【０３６４】
アイコンが選択されると、図７１（ｂ）のように、ログイン画面が無線端末機のタッチスクリーンに表示される。ログインのためのＩＤ／パスワードは、冷蔵庫に設定されるＩＤ／パスワードと同一であっても異なっていてもよい。
【０３６５】
ログインが完了すると、図７１（ｃ）のように、アプリケーション初期画面が表示される。無線端末機と冷蔵庫がサーバーを介して接続し、またはダイレクトに接続して最新の情報（ショッピングリストまたは貯蔵物情報など）が無線端末機に更新、即ち、同期化される場合、これを知らせるお知らせウィンドウ７１２０が表示されるとよい。
【０３６６】
ログイン後に表示される初期画面が食品管理メニューである場合に、食品管理メニューの構成について図７２を参照して説明する。
【０３６７】
図７２は、本発明の一実施例に関連する冷蔵庫制御のためのアプリケーションの食品管理メニューが無線端末機上で表示される形態の一例を示す図である。
【０３６８】
食品管理メニューが無線端末機上で表示される時に、各メニューボタンやアイコンの配置は、図７（ｂ）を参照して説明した冷蔵庫のユーザーインターフェースに類似している。ただし、一部のメニューやアイコンは、無線端末機のタッチスクリーンの大きさから、省略され、または他の形態に変更して表示されることがある。
【０３６９】
より詳細には、食品管理メニューの上段には、貯蔵物の情報を冷蔵庫や外部サーバーに伝送するための伝送ボタン７２１０、及び貯蔵物の情報を冷蔵庫や外部サーバーから読み出すための「開く」ボタン７２２０が配置される。
【０３７０】
その下側には、貯蔵物を特定するための頻度別入力ボタン及びカテゴリー入力ボタン７２３０が配置される。中段には、冷蔵庫の内部形状を表すグラフィック７２４０が表示され、グラフィック内の各貯蔵室には予め貯蔵された貯蔵物の保管情報がある場合に、当該貯蔵室に保管された貯蔵物の種類または個数を表すインジケータ７２５０が表示される。グラフィック７２４０の下側には、仮想キーボードを開くためのボタン７２６０が配置され、その下側には、食品管理、レシピー、ショッピングリスト及び冷蔵庫温度のそれぞれのメニューを読み出すためのメニューボタン領域７２７０が配置される。
【０３７１】
図７３は、本発明の一実施例に関連する無線端末機上で冷蔵庫制御のためのアプリケーションの食品管理メニューから貯蔵室の貯蔵物情報を確認する方法の一例を示す図である。
【０３７２】
まず、図７３（ａ）のように、３種類の貯蔵物が保管されることを表すインジケータ７３１０が選択されると、図７３（ｂ）のように、保管物のアイコンリストが表示されるとよい。各アイコンの側部には、レシピー材料に追加するためのボタン７３２０、及び該当のアイコンを削除するためのボタン７３３０をそれぞれ配置することが可能である。
【０３７３】
図７４は、本発明の一実施例に関連する無線端末機上で冷蔵庫制御のためのアプリケーションの食品管理メニューから貯蔵物の詳細情報を確認する方法の一例を示す図である。
【０３７４】
図７４（ａ）は、図７３（ｂ）に後続する手順として説明する。図７４（ａ）で、レモンアイコン７４１０が選択されると、図７４（ｂ）のように、貯蔵物詳細情報画面が表示される。具体的には、貯蔵物詳細情報画面には、当該貯蔵物を材料とするレシピーを出力するためのお勧め料理ボタン７４２０、ショッピングリスト追加ボタン７４３０、及びゴミ箱ボタン７４４０が配置される。その下側には、当該貯蔵物の保管期限を変更するための「保管期限変更」ボタン７４５０、数量調節のための「＋／−」ボタン７４６０が表示されるとよい。各ボタンの詳細な機能は、前述した冷蔵庫のユーザーインターフェースと類似しているので、重複説明は省略する。
【０３７５】
次に、図７５を参照して貯蔵物の特定方法について説明する。
【０３７６】
図７５は、本発明の一実施例に関連する無線端末機上で冷蔵庫制御のためのアプリケーションの食品管理メニューを介して追加される貯蔵物を特定する方法の一例を示す図である。
【０３７７】
前述した図７２の頻度別入力ボタンが選択することで、図７５（ａ）のように、入力頻度の高い順に整列された貯蔵物のアイコンを表示することができる。また、図７２のカテゴリー別入力ボタンを選択することで、図７５（ｂ）のように、貯蔵物のカテゴリーに対応するアイコンを表示することができる。ここで、カテゴリー分類は、冷蔵庫のユーザーインターフェースで説明したカテゴリー分類と同一にすることが好ましい。
【０３７８】
次に、図７６及び図７７を参照してレシピーメニューについて説明する。
【０３７９】
図７６は、本発明の一実施例に関連する無線端末機上で冷蔵庫制御のためのアプリケーションのレシピーメニュー構成の一例を示す図である。
図７６を参照すると、レシピーメニューは、下段のメニューボタン領域からレシピーボタン７６１０を選択することで開くことができる。レシピーメニューの上段には、レシピー情報を冷蔵庫や外部サーバーに伝送するための伝送ボタン７６２０、及びレシピー情報を冷蔵庫や外部サーバーから読み出すための「開く」ボタン７６３０が配置される。その下側には、レシピー検索の対象となる材料を保管するための調理容器アイコン７６４０が表示される。調理容器アイコン７６４０が選択されると、図２０を参照して前述した材料領域２０２１に該当する画面が、全体モードまたはポップアップウィンドウとして表示されるとよい。
【０３８０】
調理容器アイコンの下側には、調理容器に追加された貯蔵物を材料として含むレシピーを検索及び出力するための「レシピーを見る」ボタン７６５０が表示される。その下側には、調理容器アイコンに追加する貯蔵物を特定するためのボタン７６６０が配置される。具体的には、保管期限が迫っている貯蔵物を確認するための「保管期間」ボタン、及び貯蔵物情報を確認するための「保有食品」ボタンがそれぞれ表示される。
【０３８１】
また、下段には、調理容器アイコンに追加された貯蔵物にかかわらずにレシピーを検索するためのボタン領域７６７０が配置される。
【０３８２】
図７７は、本発明の一実施例に関連する無線端末機上で冷蔵庫制御のためのアプリケーションのレシピー検索方法の一例を示す図である。
【０３８３】
図７７（ａ）は、図７６のレシピーを検索するためのボタン領域７６７０からテーマ別料理ボタンが選択される場合に表示されうる。具体的には、４つの下位テーマのうち、特別なお膳が選択されると、図７７（ｂ）のように、下位テーマに含まれるレシピーリストが表示される。この場合、使用者がジャガイモ卵サラダ７７１０を選択すると、図７７（ｃ）のように、レシピー詳細情報が表示される。ここで、当該料理のサムネイルイメージ７７２０が選択されると、図７７（ｄ）のように、サムネイルイメージを拡大したポップアップウィンドウ７７３０が表示されるとよい。
【０３８４】
次に、図７８を参照してショッピングリストメニューについて説明する。
【０３８５】
図７８は、本発明の一実施例に関連する無線端末機上で実行される冷蔵庫制御のためのアプリケーションのショッピングリストメニューの構成の一例を示す図である。
【０３８６】
図７８を参照すると、レシピーメニューは、下段のメニューボタン領域から「ショッピングリスト」ボタン７８１０を選択することで開くことができる。
【０３８７】
ショッピングリストメニューの上段には、ショッピングリスト情報を冷蔵庫や外部サーバーに伝送するための「伝送」ボタン７８２０、及びショッピングリスト情報を冷蔵庫や外部サーバーから読み出すための「開く」ボタン７８３０が配置される。その下側には、ショッピングリストに追加された貯蔵物に対応するアイコン７８４０、及び各アイコンの右側に当該アイコンをショッピングリストから削除するためのゴミ箱アイコン７８５０が備えられる。
【０３８８】
次に、図７９を参照して冷蔵庫温度メニューについて説明する。
【０３８９】
図７９は、本発明の一実施例に関連する無線端末機上で実行される冷蔵庫制御のためのアプリケーションの冷蔵庫温度メニューの構成の一例を示す図である。
【０３９０】
図７９を参照すると、冷蔵庫温度メニューは、下段のメニューボタン領域から「冷蔵庫温度」ボタン７９１０を選択することで開くことができる。
【０３９１】
冷蔵庫温度メニューでは、冷凍室及び冷蔵室などのそれぞれの貯蔵室に設定された温度、特急冷凍活性化の有無、特冷室動作の有無、除菌フィルターの設定状態、及びスマート節電機能の設定状態を表示することができる。
【０３９２】
上述のアプリケーションの操作を通じて生成された情報（例えば、ショッピングリストまたは貯蔵物情報など）は、無線端末機に備えられた無線通信部を介して冷蔵庫に直接、またはサーバーを経由して冷蔵庫に伝達することができる。また、無線通信部を介して冷蔵庫に直接、またはサーバーを経由して冷蔵庫のメモリ２５０に保存されたショッピングリストや貯蔵物情報などを読み出すことができ、便利である。
【０３９３】
また、本発明の一実施例によれば、前述したアプリケーションは、プログラムの格納されている媒体に、プロセッサで読み込み可能なコードとして具現化することが可能である。プロセッサ読み込み可能な媒体の例には、ＲＯＭ、ＲＡＭ、ＣＤ−ＲＯＭ、磁気テープ、フロッピー（登録商標）ディスク、光データ記憶装置などがあり、キャリアウェーブ（例えば、インターネットを通じた伝送）の形態とするものも含む。
【符号の説明】
【０３９４】
１    本体
５    冷凍室
６    冷蔵室
７    冷凍室ドア
８    冷凍室ドア
１０    補助貯蔵室
２００    ディスプレイ装置
２４１    ディスプレイ部
２４５    挿入スロット
７２０    冷蔵庫グラフィック
７３０    貯蔵物選択領域
８５０    食品詳細情報ポップアップウィンドウ
３１０１    冷蔵庫管理初期画面
３７０１    節電モード選択ポップアップウィンドウ
４１０１    スケジュール管理初期画面
４７０１    メモ管理初期画面
５３０１    環境設定初期画面
【図１】
2012220186.tif 000003
【図２】
2012220186.tif 000004
【図３】
2012220186.tif 000005
【図４】
2012220186.tif 000006
【図５】
2012220186.tif 000007
【図６】
2012220186.tif 000008
【図７】
2012220186.tif 000009
【図８】
2012220186.tif 000010
【図９】
2012220186.tif 000011
【図１０】
2012220186.tif 000012
【図１１】
2012220186.tif 000013
【図１２】
2012220186.tif 000014
【図１３】
2012220186.tif 000015
【図１４】
2012220186.tif 000016
【図１５】
2012220186.tif 000017
【図１６】
2012220186.tif 000018
【図１７】
2012220186.tif 000019
【図１８】
2012220186.tif 000020
【図１９】
2012220186.tif 000021
【図２０】
2012220186.tif 000022
【図２１】
2012220186.tif 000023
【図２２】
2012220186.tif 000024
【図２３】
2012220186.tif 000025
【図２４】
2012220186.tif 000026
【図２５】
2012220186.tif 000027
【図２６】
2012220186.tif 000028
【図２７】
2012220186.tif 000029
【図２８】
2012220186.tif 000030
【図２９】
2012220186.tif 000031
【図３０】
2012220186.tif 000032
【図３１】
2012220186.tif 000033
【図３２】
2012220186.tif 000034
【図３３】
2012220186.tif 000035
【図３４】
2012220186.tif 000036
【図３５Ａ】
2012220186.tif 000037
【図３５Ｂ】
2012220186.tif 000038
【図３５Ｃ】
2012220186.tif 000039
【図３６】
2012220186.tif 000040
【図３７】
2012220186.tif 000041
【図３８】
2012220186.tif 000042
【図３９Ａ】
2012220186.tif 000043
【図３９Ｂ】
2012220186.tif 000044
【図４０】
2012220186.tif 000045
【図４１】
2012220186.tif 000046
【図４２】
2012220186.tif 000047
【図４３】
2012220186.tif 000048
【図４４Ａ】
2012220186.tif 000049
【図４４Ｂ】
2012220186.tif 000050
【図４５】
2012220186.tif 000051
【図４６Ａ】
2012220186.tif 000052
【図４６Ｂ】
2012220186.tif 000053
【図４６Ｃ】
2012220186.tif 000054
【図４７】
2012220186.tif 000055
【図４８Ａ】
2012220186.tif 000056
【図４８Ｂ】
2012220186.tif 000057
【図４９Ａ】
2012220186.tif 000058
【図４９Ｂ】
2012220186.tif 000059
【図５０】
2012220186.tif 000060
【図５１Ａ】
2012220186.tif 000061
【図５１Ｂ】
2012220186.tif 000062
【図５２Ａ】
2012220186.tif 000063
【図５２Ｂ】
2012220186.tif 000064
【図５３Ａ】
2012220186.tif 000065
【図５３Ｂ】
2012220186.tif 000066
【図５４】
2012220186.tif 000067
【図５５Ａ】
2012220186.tif 000068
【図５５Ｂ】
2012220186.tif 000069
【図５５Ｃ】
2012220186.tif 000070
【図５６】
2012220186.tif 000071
【図５７】
2012220186.tif 000072
【図５８Ａ】
2012220186.tif 000073
【図５８Ｂ】
2012220186.tif 000074
【図５９Ａ】
2012220186.tif 000075
【図５９Ｂ】
2012220186.tif 000076
【図６０】
2012220186.tif 000077
【図６１】
2012220186.tif 000078
【図６２】
2012220186.tif 000079
【図６３】
2012220186.tif 000080
【図６４】
2012220186.tif 000081
【図６５】
2012220186.tif 000082
【図６６】
2012220186.tif 000083
【図６７】
2012220186.tif 000084
【図６８】
2012220186.tif 000085
【図６９】
2012220186.tif 000086
【図７０】
2012220186.tif 000087
【図７１】
2012220186.tif 000088
【図７２】
2012220186.tif 000089
【図７３】
2012220186.tif 000090
【図７４】
2012220186.tif 000091
【図７５】
2012220186.tif 000092
【図７６】
2012220186.tif 000093
【図７７】
2012220186.tif 000094
【図７８】
2012220186.tif 000095
【図７９】
2012220186.tif 000096